(57)【要約】  半二重通信を可能にするための無線通信デバイスを記載する。本無線通信デバイスは、プロセッサと、該プロセッサと電子通信するメモリ中に格納された命令とを含む。無線通信デバイスは、インジケータを受信する。また、無線通信デバイスは、インジケータに基づき、規則的なアップリンク（ＵＬ）とダウンリンク（ＤＬ）との切替えパターンを有する半二重フレーム構造体を決める。該半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループを含む。無線通信デバイスは、ＤＬサブフレームの少なくとも一つにあるＤＬ情報をさらに受信する。無線通信デバイスは、ＵＬサブフレームの少なくとも一つにあるＵＬ情報をさらに送信する。
2015514333.tif 000002
【特許請求の範囲】
【請求項１】
半二重通信を可能にするための無線通信デバイスであって、
プロセッサと、
前記プロセッサと電子通信するメモリと、
前記メモリ中に格納された命令と、
を含み、前記命令は、
インジケータを受信し、
前記インジケータに基づき、規則的なアップリンク（ＵＬ）とダウンリンク（ＤＬ）との切替えパターンを有する半二重フレーム構造体を決め、前記半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループを含み、
前記ＤＬサブフレームの少なくとも一つにあるＤＬ情報を受信し、
前記ＵＬサブフレームの少なくとも一つにあるＵＬ情報を送信する、
よう実行可能である、
無線通信デバイス。
【請求項２】
前記無線通信デバイスがマシン型通信（ＭＴＣ）デバイスである、請求項１に記載の無線通信デバイス。
【請求項３】
前記インジケータが、無線リソース制御（ＲＲＣ）信号伝達、一斉通信信号、および同期信号から成る群の少なくとも一つを介して受信される、請求項１に記載の無線通信デバイス。
【請求項４】
前記命令が、前記少なくとも一つのＤＬサブフレーム・グループ中の全ＤＬサブフレームよりは少ないＤＬサブフレームを含む限定されたＤＬサブフレーム・セットをモニタするようさらに実行可能である、請求項１に記載の無線通信デバイス。
【請求項５】
前記少なくとも一つのＵＬサブフレーム・グループが、４つのＵＬサブフレームを含み、前記少なくとも一つのＤＬサブフレーム・グループが、４つのＤＬサブフレームを含み、前記少なくとも一つのＵＬサブフレーム・グループが前記少なくとも一つのＤＬサブフレーム・グループと切替えられる、請求項１に記載の無線通信デバイス。
【請求項６】
前記命令が、
オフセットを決め、
前記オフセットを、物理ダウンリンク共有チャネル（ＰＤＳＣＨ）ハイブリッド自動再送要求応答（ＨＡＲＱ−ＡＣＫ）アソシエーションと、物理アップリンク共有チャネル（ＰＵＳＣＨ）スケジューリング・アソシエーションと、ＰＵＳＣＨ  ＨＡＲＱ−ＡＣＫアソシエーションとに適用する、
ようさらに実行可能である、
請求項１に記載の無線通信デバイス。
【請求項７】
前記命令が、保護期間を形成するため、相異なるアソシエーション・タイミングを適用するようさらに実行可能である、請求項１に記載の無線通信デバイス。
【請求項８】
前記ＵＬサブフレーム・グループが、前記ＤＬサブフレーム・グループとは異なる数のサブフレームを含み、前記命令が、グループ・アソシエーション・マッピングを適用するようさらに実行可能である、請求項１に記載の無線通信デバイス。
【請求項９】
半二重フレーム構造体の周期性が、無線フレームの周期性と同じである、請求項１に記載の無線通信デバイス。
【請求項１０】
前記少なくとも一つのＵＬサブフレーム・グループが第一搬送波に対応し、前記少なくとも一つのＤＬサブフレーム・グループが、前記第一搬送波とは別個の第二搬送波に対応する、請求項１に記載の無線通信デバイス。
【請求項１１】
半二重オペレーションに対し、一つ以上の対応アソシエーションを有する、時分割二重（ＴＤＤ）アップリンク−ダウンリンク（ＵＬ−ＤＬ）構成０〜６の少なくとも一つが適用される、請求項１０に記載の無線通信デバイス。
【請求項１２】
前記半二重フレーム構造体が、時分割二重（ＴＤＤ）アップリンク−ダウンリンク（ＵＬ−ＤＬ）構成の領域に基づく、少なくとも一つの変換可能サブフレームを含み、前記命令が、
第一ＴＤＤ  ＵＬ−ＤＬ構成に対応する、物理ダウンリンク共有チャネル（ＰＤＳＣＨ）ハイブリッド自動再送要求応答（ＨＡＲＱ−ＡＣＫ）アソシエーションを適用し、
第二ＴＤＤ  ＵＬ−ＤＬ構成に対応する、物理アップリンク共有チャネル（ＰＵＳＣＨ）スケジューリング・アソシエーション、およびＰＵＳＣＨ  ＨＡＲＱ−ＡＣＫアソシエーションを適用する、
ようさらに実行可能である、
請求項１０に記載の無線通信デバイス。
【請求項１３】
半二重通信を可能にするための進化型ノードＢ（ｅＮＢ）であって、
プロセッサと、
前記プロセッサと電子通信するメモリと、
前記メモリ中に格納された命令と、
を含み、前記命令は、
規則的なアップリンク（ＵＬ）とダウンリンク（ＤＬ）との切替えパターンを有する半二重フレーム構造体を示すインジケータを決め、前記半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループを含み、
前記インジケータを送信し、
前記ＵＬサブフレームの少なくとも一つにあるＵＬ情報を受信し、
前記ＤＬサブフレームの少なくとも一つにあるＤＬ情報を送信する、
よう実行可能である、
ｅＮＢ。
【請求項１４】
前記少なくとも一つのＵＬサブフレーム・グループが、４つのＵＬサブフレームを含み、前記少なくとも一つのＤＬサブフレーム・グループが、４つのＤＬサブフレームを含み、前記少なくとも一つのＵＬサブフレーム・グループが前記少なくとも一つのＤＬサブフレーム・グループと切替えられる、請求項１３に記載のｅＮＢ。
【請求項１５】
前記命令が、一つ以上のオフセットを送信するようさらに実行可能である、請求項１３に記載のｅＮＢ。
【請求項１６】
前記ＵＬサブフレーム・グループが、前記ＤＬサブフレーム・グループとは異なる数のサブフレームを含み、前記命令が、グループ・アソシエーション・マッピングを適用するようさらに実行可能である、請求項１３に記載のｅＮＢ。
【請求項１７】
半二重フレーム構造体の周期性が、無線フレームの周期性と同じである、請求項１３に記載のｅＮＢ。
【請求項１８】
前記少なくとも一つのＵＬサブフレーム・グループが第一搬送波に対応し、前記少なくとも一つのＤＬサブフレーム・グループが、前記第一搬送波とは別個の第二搬送波に対応する、請求項１３に記載のｅＮＢ。
【請求項１９】
半二重オペレーションに対し、一つ以上の対応アソシエーションを有する、時分割二重（ＴＤＤ）アップリンク−ダウンリンク（ＵＬ−ＤＬ）構成０〜６の少なくとも一つが適用される、請求項１８に記載のｅＮＢ。
【請求項２０】
前記半二重フレーム構造体が、時分割二重（ＴＤＤ）アップリンク−ダウンリンク（ＵＬ−ＤＬ）構成の領域に基づく、少なくとも一つの変換可能サブフレームを含み、前記命令が、
第一ＴＤＤ  ＵＬ−ＤＬ構成に対応する、物理ダウンリンク共有チャネル（ＰＤＳＣＨ）ハイブリッド自動再送要求応答（ＨＡＲＱ−ＡＣＫ）アソシエーションを適用し、
第二ＴＤＤ  ＵＬ−ＤＬ構成に対応する、物理アップリンク共有チャネル（ＰＵＳＣＨ）スケジューリング・アソシエーション、およびＰＵＳＣＨ  ＨＡＲＱ−ＡＣＫアソシエーションを適用する、
ようさらに実行可能である、
請求項１８に記載のｅＮＢ。
【請求項２１】
無線通信デバイスにおいて半二重通信を可能にする方法であって、
インジケータを受信するステップと、
前記インジケータに基づいて、規則的なアップリンク（ＵＬ）とダウンリンク（ＤＬ）との切替えパターンを有する半二重フレーム構造体を決めるステップであって、前記半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループとを含む、前記決めるステップと、
前記ＤＬサブフレームの少なくとも一つにあるＤＬ情報を受信するステップと、
前記ＵＬサブフレームの少なくとも一つにあるＵＬ情報を送信するステップと、
を含む方法。
【請求項２２】
前記無線通信デバイスがマシン型通信（ＭＴＣ）デバイスである、請求項２１に記載の方法。
【請求項２３】
前記インジケータが、無線リソース制御（ＲＲＣ）信号伝達、一斉通信信号、および同期信号から成る群の少なくとも一つを介して受信される、請求項２１に記載の方法。
【請求項２４】
前記少なくとも一つのＤＬサブフレーム・グループ中の全ＤＬサブフレームよりは少ないＤＬサブフレームを含む限定されたＤＬサブフレーム・セットをモニタするステップをさらに含む、請求項２１に記載の方法。
【請求項２５】
前記少なくとも一つのＵＬサブフレーム・グループが、４つのＵＬサブフレームを含み、前記少なくとも一つのＤＬサブフレーム・グループが、４つのＤＬサブフレームを含み、前記少なくとも一つのＵＬサブフレーム・グループが前記少なくとも一つのＤＬサブフレーム・グループと切替えられる、請求項２１に記載の方法。
【請求項２６】
オフセットを決めるステップと、
前記オフセットを、物理ダウンリンク共有チャネル（ＰＤＳＣＨ）ハイブリッド自動再送要求応答（ＨＡＲＱ−ＡＣＫ）アソシエーション、物理アップリンク共有チャネル（ＰＵＳＣＨ）スケジューリング・アソシエーション、およびＰＵＳＣＨ  ＨＡＲＱ−ＡＣＫアソシエーションに、適用するステップと、
をさらに含む、請求項２１に記載の方法。
【請求項２７】
保護期間を形成するため、相異なるアソシエーション・タイミングを適用するステップをさらに含む、請求項２１に記載の方法。
【請求項２８】
前記ＵＬサブフレーム・グループが、前記ＤＬサブフレーム・グループとは異なる数のサブフレームを含み、前記方法が、グループ・アソシエーション・マッピングを適用するステップをさらに含む、請求項２１に記載の方法。
【請求項２９】
半二重フレーム構造体の周期性が、無線フレームの周期性と同じである、請求項２１に記載の方法。
【請求項３０】
前記少なくとも一つのＵＬサブフレーム・グループが第一搬送波に対応し、前記少なくとも一つのＤＬサブフレーム・グループが、前記第一搬送波とは別個の第二搬送波に対応する、請求項２１に記載の方法。
【請求項３１】
半二重オペレーションに対し、一つ以上の対応アソシエーションを有する、時分割二重（ＴＤＤ）アップリンク−ダウンリンク（ＵＬ−ＤＬ）構成０〜６の少なくとも一つが適用される、請求項３０に記載の方法。
【請求項３２】
前記半二重フレーム構造体が、時分割二重（ＴＤＤ）アップリンク−ダウンリンク（ＵＬ−ＤＬ）構成の領域に基づく、少なくとも一つの変換可能サブフレームを含み、前記方法が、
第一ＴＤＤ  ＵＬ−ＤＬ構成に対応する、物理ダウンリンク共有チャネル（ＰＤＳＣＨ）ハイブリッド自動再送要求応答（ＨＡＲＱ−ＡＣＫ）アソシエーションを適用するステップと、
第二ＴＤＤ  ＵＬ−ＤＬ構成に対応する、物理アップリンク共有チャネル（ＰＵＳＣＨ）スケジューリング・アソシエーション、およびＰＵＳＣＨ  ＨＡＲＱ−ＡＣＫアソシエーションを適用するステップと、
をさらに含む、
請求項３０に記載の方法。
【請求項３３】
進化型ノードＢ（ｅＮＢ）において半二重通信を可能にする方法であって、
規則的なアップリンク（ＵＬ）とダウンリンク（ＤＬ）との切替えパターンを有する半二重フレーム構造体を示すインジケータを決めるステップであって、前記半二重フレーム構造体は、一つまたは複数の連続するＵＬサブフレームを含む少なくとも一つのＵＬサブフレーム・グループと、一つまたは複数の連続するＤＬサブフレームを含む少なくとも一つのＤＬサブフレーム・グループとを含む、前記決めるステップと、
前記インジケータを送信するステップと、
前記ＵＬサブフレームの少なくとも一つにあるＵＬ情報を受信するステップと、
前記ＤＬサブフレームの少なくとも一つにあるＤＬ情報を送信するステップと、
を含む方法。
【請求項３４】
前記少なくとも一つのＵＬサブフレーム・グループが、４つのＵＬサブフレームを含み、前記少なくとも一つのＤＬサブフレーム・グループが、４つのＤＬサブフレームを含み、前記少なくとも一つのＵＬサブフレーム・グループが前記少なくとも一つのＤＬサブフレーム・グループと切替えられる、請求項３３に記載の方法。
【請求項３５】
一つ以上のオフセットを送信するステップをさらに含む、請求項３３に記載の方法。
【請求項３６】
前記ＵＬサブフレーム・グループが、前記ＤＬサブフレーム・グループとは異なる数のサブフレームを含み、前記方法が、グループ・アソシエーション・マッピングを適用するステップをさらに含む、請求項３３に記載の方法。
【請求項３７】
半二重フレーム構造体の周期性が、無線フレームの周期性と同じである、請求項３３に記載の方法。
【請求項３８】
前記少なくとも一つのＵＬサブフレーム・グループが第一搬送波に対応し、前記少なくとも一つのＤＬサブフレーム・グループが、前記第一搬送波とは別個の第二搬送波に対応する、請求項３３に記載の方法。
【請求項３９】
半二重オペレーションに対し、一つ以上の対応アソシエーションを有する、時分割二重（ＴＤＤ）アップリンク−ダウンリンク（ＵＬ−ＤＬ）構成０〜６の少なくとも一つが適用される、請求項３８に記載の方法。
【請求項４０】
前記半二重フレーム構造体が、時分割二重（ＴＤＤ）アップリンク−ダウンリンク（ＵＬ−ＤＬ）構成の領域に基づく、少なくとも一つの変換可能サブフレームを含み、前記方法が、
第一ＴＤＤ  ＵＬ−ＤＬ構成に対応する、物理ダウンリンク共有チャネル（ＰＤＳＣＨ）ハイブリッド自動再送要求応答（ＨＡＲＱ−ＡＣＫ）アソシエーションを適用するステップと、
第二ＴＤＤ  ＵＬ−ＤＬ構成に対応する、物理アップリンク共有チャネル（ＰＵＳＣＨ）スケジューリング・アソシエーション、およびＰＵＳＣＨ  ＨＡＲＱ−ＡＣＫアソシエーションを適用するステップと、
をさらに含む、
請求項３８に記載の方法。
【発明の詳細な説明】
【技術分野】
【０００１】
本開示は、一般に通信システムに関する。さらに具体的には、本開示は、半二重通信を可能にするためのデバイスに関する。
【背景技術】
【０００２】
無線通信デバイスはより小型でより強力になってきている。無線通信デバイスに対し、信頼できるサービス、サービス・エリアの拡大、および機能の増大の提供への期待が高まっている。無線通信システムは、多くの無線通信デバイスに通信を提供することができ、これらデバイスの各々は、基地局からサービスを受けることができる。基地局は、無線通信デバイスと交信する固定局とすればよい。
【０００３】
無線通信デバイスが進展するにつれて、無線通信デバイスの潜在的用途も増加してきた。かかる進展の一つにマシンツーマシン（Ｍ２Ｍ）デバイスの導入がある。これらのデバイスは、ほとんどまたは全くヒューマン・インターフェースを備えなくてもよい。それにもかかわらず、これらのデバイスは基地局への無線リンクを提供することができる。
【０００４】
無線通信デバイスは、通信構造を用いて一つ以上のデバイスと通信することができる。しかしながら、一部の通信構造は、全てのアプリケーションにうまく適しているわけではない。本明細書の説明で示すように、あるオペレーティング状況に対し適切な通信構造を提供するシステムおよび方法は有益となり得よう。
【発明の概要】
【課題を解決するための手段】
【０００５】
本発明の一実施形態は、半二重通信を可能にする無線通信デバイスを開示する。無線通信デバイスは、プロセッサと、プロセッサと電子通信するメモリとを含み、メモリ中には命令が格納されており、命令は、インジケータを受信し；該インジケータに基づいて、規則的なアップリンク（ＵＬ：ｕｐｌｉｎｋ）とダウンリンク（ＤＬ：ｄｏｗｎｌｉｎｋ）との切替えパターンを有する半二重フレーム構造体を決め（この半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループを含む）；ＤＬサブフレームの少なくとも一つにあるＤＬ情報を受信し；ＵＬサブフレームの少なくとも一つにあるＵＬ情報を送信するよう実行可能である。
【０００６】
本発明の別の実施形態は、半二重通信を可能にする進化型ノードＢ（ｅＮＢ：ｅｖｏｌｖｅｄ  Ｎｏｄｅ  Ｂ）を開示する。ｅＮＢは、プロセッサと、プロセッサと電子通信するメモリとを含み、メモリ中には命令が格納され、命令は、規則的なアップリンク（ＵＬ）とダウンリンク（ＤＬ）との切替えパターンを有する半二重フレーム構造体を示すインジケータを決め（この半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループとを含む）；インジケータを送信し；ＵＬサブフレームの少なくとも一つにあるＵＬ情報を受信し；ＤＬサブフレームの少なくとも一つにあるＤＬ情報を送信するよう実行可能である。
【０００７】
本発明の別の実施形態は、無線通信デバイスにおいて半二重通信を可能にする方法を開示する。該方法は、インジケータを受信するステップと；インジケータに基づいて、規則的なアップリンク（ＵＬ）とダウンリンク（ＤＬ）との切替えパターン有する半二重フレーム構造体を決めるステップであって、この半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループとを含む、該決めるステップと；ＤＬサブフレームの少なくとも一つにあるＤＬ情報を受信するステップと；ＵＬサブフレームの少なくとも一つにあるＵＬ情報を送信するステップと；を含む。
【０００８】
本発明の別の実施形態は、進化型ノードＢ（ｅＮＢ）において半二重通信を可能にするための方法を開示する。該方法は、規則的なアップリンク（ＵＬ）とダウンリンク（ＤＬ）との切替えパターンを有する半二重フレーム構造体を示すインジケータを決めるステップであって、この半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループを含む、該決めるステップと；インジケータを送信するステップと；ＵＬサブフレームの少なくとも一つにあるＵＬ情報を受信するステップと；ＤＬサブフレームの少なくとも一つにあるＤＬ情報を送信するステップと；を含む。
【図面の簡単な説明】
【０００９】
【図１】半二重通信を可能にするためのシステムおよび方法が実装可能な、進化型ノードＢ（ｅＮＢ）と一つ以上無線通信デバイスとの一つの構成を示すブロック図である。
【図２】無線通信デバイスにおいて半二重通信を可能する方法の一つの構成を示すフロー図である。
【図３】ｅＮＢにおいて半二重通信を可能にする方法の一つの構成を示すフロー図である。
【図４】アップリンク（ＵＬ）およびダウンリンク（ＤＬ）のアソシエーション・タイミング例を示す図である。
【図５】既存のアプローチにおける問題を示す図である。
【図６】本明細書に開示のシステムおよび方法による、第一アプローチの一例を示す図である。
【図７】本明細書に開示のシステムおよび方法による、第二アプローチの一例を示す図である。
【図８】本明細書に開示のシステムおよび方法による、第三アプローチの一例を示す図である。
【図９】本明細書に開示のシステムおよび方法による、第四アプローチの一例を示す図である。
【図１０】本明細書に開示のシステムおよび方法による、第六アプローチの一例を示す図である。
【図１１】本明細書に開示のシステムおよび方法による、第六アプローチの別の例を示す図である。
【図１２】本明細書に開示のシステムおよび方法によって適用が可能な、いくつかの時分割二重（ＴＤＤ：Ｔｉｍｅ  Ｄｉｖｉｓｉｏｎ  Ｄｕｐｌｅｘｉｎｇ）アップリンク−ダウンリンク（ＵＬ−ＤＬ）構成を示す図である。
【図１３】無線通信デバイス中に使用可能な各種のコンポーネントを示す。
【図１４】ｅＮＢ中に使用可能な各種のコンポーネントを示す。
【図１５】半二重通信を可能にするためのシステムおよび方法が実装可能な無線通信デバイスの一つの構成を示すブロック図である。
【図１６】半二重通信を可能にするためのシステムおよび方法が実装可能なｅＮＢの一つの構成を示すブロック図である。
【発明を実施するための形態】
【００１０】
「３ＧＰＰ」とも言われる第３世代パートナーシップ・プロジェクトは、第三および第四世代の無線通信システムに対する、世界的に適用可能な技術仕様および技術レポートを規定することを目的とした協力協定である。３ＧＰＰは、次世代のモバイル・ネットワーク、システム、およびデバイスに対する仕様を規定することができる。
【００１１】
３ＧＰＰのロング・ターム・エボリューション（ＬＴＥ：Ｌｏｎｇ  Ｔｅｒｍ  Ｅｖｏｌｕｔｉｏｎ）とは、将来の要求事項に対処するために、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）移動電話またはデバイスの規格を改良するプロジェクトに与えられた名称である。一つの側面において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に対するサポートおよび仕様を提供するため修正されてきた。
【００１２】
本明細書に開示のシステムおよび方法の少なくとも一部の態様が、３ＧＰＰ  ＬＴＥ、ＬＴＥ改良型（ＬＴＥ−Ａ：ＬＴＥ−Ａｄｖａｎｃｅｄ）、および他の規格（例えば、３ＧＰＰリリース８、９、１０、および／または１１）と関連させて説明されることがある。しかしながら、本明細書に開示の範囲は上記に関して限定されるものではない。本明細書に開示のシステムおよび方法の少なくとも一部の態様は、他の種類の無線通信システムにおいても用いることが可能である。
【００１３】
無線通信デバイスは、基地局に音声および／またはデータを通信するのに使用される電子デバイスであればよく、基地局はこれに応じて、デバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信できる。本明細書のシステムおよび方法の説明において、無線通信デバイスは、その名称に換えて、移動ステーション、ＵＥ、マシン型通信（ＭＴＣ：Ｍａｃｈｉｎｅ−Ｔｙｐｅ  Ｃｏｍｍｕｎｉｃａｔｉｏｎ）デバイス、アクセス端末、加入者ステーション、移動端末、遠隔ステーション、ユーザ端末、端末、加入者ユニット、移動デバイスなどと呼ばれることがある。無線通信デバイスの例には、携帯電話、スマート・フォン、携帯端末（ＰＤＡ：ｐｅｒｓｏｎａｌ  ｄｉｇｉｔａｌ  ａｓｓｉｓｔａｎｔ）、ラップトップ・コンピュータ、ネットブック、ｅリーダ、無線モデムなどが含まれる。３ＧＰＰ仕様では、無線通信デバイスは、一般にＵＥと呼ばれている。但し、本明細書に開示の範囲は、３ＧＰＰ規格に限定されるものでないので、本明細書では、用語「ＵＥ」と「無線通信デバイス」とは置き換え可能に使われてもよく、より一般的な用語「無線通信デバイス」を意味する。なお、ＭＴＣデバイスが、ＵＥまたは無線通信デバイスの一例であり得る。但し、「標準的」または「典型的」なＵＥの例は、携帯電話、スマート・フォン、ラップトップ・コンピュータなどのデバイスを含み得ることに留意する。
【００１４】
３ＧＰＰ仕様では、基地局は、一般にノードＢ、ｅＮＢ、ホームｅＮＢ（ＨｅＮＢ：ｈｏｍｅ  ｅｎｈａｎｃｅｄ  ｏｒ  ｅｖｏｌｖｅｄ  ＮｏｄｅＢ）、または何らか他の類似の用語で呼ばれている。本開示の範囲は３ＧＰＰ規格に限定されるものではないので、本明細書では、用語「基地局」、「ノードＢ」、「ｅＮＢ」、および「ＨｅＮＢ」は置き換え可能に使われてもよく、より一般的な用語「基地局」を意味する。さらに、用語「基地局」はアクセス・ポイントを表すために使われることがある。アクセス・ポイントは、無線通信デバイスに対し、ネットワーク（例えば、ローカル・エリア・ネットワーク（ＬＡＮ：Ｌｏｃａｌ  Ａｒｅａ  Ｎｅｔｗｏｒｋ）、インターネットなど）へのアクセスを提供する電子デバイスであればよい。用語「通信デバイス」は、無線通信デバイスおよび／または基地局の双方を表すために使われることがある。
【００１５】
なお、本明細書で用いる「セル」は、ＩＭＴアドバンスト（Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に用いられる、標準化または規制団体によって規定された任意の通信チャネルであり得、その全部またはそのサブセットが、通信用の認可バンド（例えば、周波数バンド）として３ＧＰＰによって採用され得る。セルは、時間的、空間的（例えば、地理的）および周波数的特性を有し得る。
【００１６】
本明細書に開示のシステムおよび方法は、半二重通信を可能にするためのデバイスを説明している。例えば、半二重ＭＴＣデバイスに対するＵＬ−ＤＬ構成が説明される。例えば、ＦＤＤ−ＬＴＥにおける半二重低コストＭＴＣデバイスに対するＵＬ−ＤＬ構成が説明される。
【００１７】
３ＧＰＰリリース１１において、ＬＴＥに基づく低コストのＭＴＣデバイス通信のプロビジョニングが検討されている。無線アクセス・ネットワーク無線レイヤ１（ＲＡＮ１：Ｒａｄｉｏ  Ａｃｃｅｓｓ  Ｎｅｔｗｏｒｋ  Ｒａｄｉｏ  Ｌａｙｅｒ１）ワークグループは、ＭＴＣデバイスに対するコスト削減の側面を特定し、それをサポートするのに必要な仕様変更を評価している。コスト削減の主要分野は、バンド幅の低減、ピーク速度の低減、無線周波（ＲＦ：Ｒａｄｉｏ  Ｆｒｅｑｕｅｎｃｙ）チェーンの数の低減、および半二重オペレーションなどを含み得る。例えば、ＭＴＣデバイスのコスト削減は、ＲＦコンポーネントと処理法とに分類することができる。半二重オペレーションは、ＲＦコスト削減および処理の最適化の一つの側面であり得る。
【００１８】
本明細書に開示のシステムおよび方法は、ＭＴＣデバイスに対し、対応する仕様の変更に加え、ＦＤＤ−ＬＴＥネットワークにおける半二重オペレーションをサポートするための各種のプロシージャを提供することができる。本開示で提供されるこれらのプロシージャは、サブフレーム・モニタリングの必要性を低減することによって、および、これに加えまたはこれに換えて、ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）プロシージャを制限および改良（例えば、最適化）することによって、デバイス・コストを削減することが可能である。
【００１９】
ＦＤＤ−ＬＴＥ  ＭＴＣデバイスの半二重オペレーションは、全体的コスト節減が４〜７％に達し得る。アップリンクおよびダウンリンクのタイミングおよびＨＡＲＱプロシージャを改良（例えば、最適化）することによって、さらなる利点を達成することが可能である。本明細書に開示のシステムおよび方法は、以下の一つ以上のプロシージャを提供することができる。規則的なＵＬとＤＬとの切替えパターンを適用して、同じＦＤＤアソシエーション・タイミングを維持しながら、半二重オペレーションを単純化することが可能である。標準的ＦＤＤアソシエーション・タイミングにオフセットを適用して、ＤＬ−ＵＬペアリングをよりうまく揃えることができる。ＦＤＤ通信にＴＤＤ  ＵＬ−ＤＬ構成を適用することが可能である。これは、ＭＴＣデバイスが、別々のＤＬおよびＵＬバンドでの半二重を使って動作できるように、ＴＤＤタイミングを再使用できるように実現されるとよい。本明細書に開示のシステムおよび方法は、ＭＴＣデバイスのＤＬモニタリング・セットを低減することが可能である。これに加えまたはこれに換えて、各ＭＴＣデバイスによってサポートされるＨＡＲＱ応答（ＨＡＲＱ−ＡＣＫ：ＨＡＲＱ  Ａｃｋｎｏｗｌｅｄｇｅｍｅｎｔ）プロセスの数を低減することも可能である。
【００２０】
無線アクセス・ネットワーク（ＲＡＮ：Ｒａｄｉｏ  Ａｃｃｅｓｓ  Ｎｅｔｗｏｒｋ）総会５３において、同じくローエンドＭＴＣマーケットをターゲットとしているＧＳＭ／ＧＰＲＳ端末と競争できるようにするため、ＬＴＥベースの低コストＭＴＣ  ＵＥの提供が検討事項（ＳＩ：Ｓｔｕｄｙ  Ｉｔｅｍ）として承認された。今までの何回かのＲＡＮ１会議において、個々の技法に対し、基準ＬＴＥモデムのコスト作用要因およびコスト削減見積もりが協議されてきた。
【００２１】
コスト削減に対する主要な寄与因子は、最大バンド幅の低減、単一の受信無線周波数（ＲＦ）チェーン、ピーク速度の低減、送信電力の低減、および半二重オペレーションのうちの一つ以上を含み得る。最大バンド幅が低減すると、特にＭＴＣが既存のバンドのサブバンド中で動作している場合、制御信号伝達（例えば、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）など）に対する新規の設計につながり得る。ＲＦチェーンの低減、ピーク速度の低減、および送信電力の低減は、ＲＦおよびベースバンドに関するＭＴＣコストを削減できるが、セルのサービス・エリアに影響を与える可能性がある。
【００２２】
半二重オペレーションは、コスト削減に影響を与える重要な一側面であり得る。半二重オペレーションは、セルのサービス・エリアおよびパフォーマンスに影響しない可能性がある。良好な半二重設計は、オペレーションを簡素にし、ベースバンドおよびＲＦのコスト削減に加えて、電力消費の低減を提供することが可能である。
【００２３】
ＦＤＤ−ＬＴＥ通信に対し半二重オペレーションを可能にすることによって、以下に記載する一つ以上の利点を得ることができる。デュープレクサ・フィルタの必要をなくし、しかしてＲＦコストの削減を可能にする。例えば、これは、基準ＬＴＥモデムと比べて４〜８％のコスト節減の提供を可能にする。ＭＴＣデバイスは、一度に送信および受信の両方おこなうのでなく、そのいずれかを提供することが可能なので、ベースバンド処理に対する要件を（例えば、バッファ・メモリのサイズ、計算能力）を軽減できる。ＭＴＣデバイスは、ＵＬ送信の間はＤＬサブフレームをモニタする必要がないので、エネルギ節減を提供することができる。最大電力消費を完全二重型デバイスと比較して低くすることもできる。
【００２４】
本明細書に開示のシステムおよび方法による、ＦＤＤ−ＬＴＥを用いるＭＴＣデバイスのための半二重オペレーションに対するいくつかのアプローチを以下に述べる。いくつかの理由により、（低コスト）ＭＴＣデバイスに対して半二重を検討することができる。第一に、必要なデータ速度が、通常のＵＥよりも相当に低くなり得る。第二に、トラフィックのほとんどが遅延に依存しないであろう。データ速度が低いということは、ＭＴＣデバイスが、一つの無線フレームで複数のサブフレームを受信または送信する必要がなくなることを意味する。しかして、ＭＴＣデバイスが全てのＤＬサブフレームをモニタする必要もなくせるし、ＨＡＲＱプロセスの回数を低減することも可能である。遅延非依存性は、既知のアソシエーション・タイミングを緩和することが可能であることを意味する。さらに、（例えば、図４および５に関連して示すように）、いくつかのＵＬ−ＤＬ切替えルールを規定することが必要となり得る。
【００２５】
以下の側面の一つ以上が、ＭＴＣデバイスに対する半二重オペレーションの向上を提供することができる。新規のＵＬ−ＤＬ切替えおよび割り当てルールの適用が可能である。ＭＴＣデバイスは、一つ以上の限られたＤＬサブフレームをモニタすることが可能である。緩和または延長されたＵＬおよびＤＬのアソシエーション・タイミングを適用することが可能である。回数が低減されたＨＡＲＱプロセスおよび修正されたプロシージャを実装することが可能である。これらの側面の一つ以上を、独立して、あるいは他の側面と組み合せて実装することができる。一例において、一つのＭＴＣデバイスで一回だけのＨＡＲＱ−ＡＣＫプロセスをサポートすることができる。しかして、例えば、現在のパケットがうまく配信されるまでは、さらなるパケットを送信しないようにできる。
【００２６】
スケジューリングの制限事項を、ＤＬからＵＬへの各切替えに適用することが可能である。制限事項を低減するために、ＤＬからＵＬへの切替えの量を減らすことができる（例えば、最小化する）。例えば、より規則的なパターンを形成するために、ＤＬサブフレームおよびＵＬサブフレームをまとめてグループ化することが可能である。本明細書に開示のシステムおよび方法による、ＵＬ−ＤＬ切替えおよび割当てに対するいくつかのアプローチを以下に説明する。なお、一つ以上のこれらアプローチ（またはその特徴）を、独立して、あるいはこれらアプローチ（またはその特徴）の別のものと組み合わせて実装することが可能である。
【００２７】
第一アプローチにおいて、周期的なＵＬとＤＬとの切替えパターンを、標準的な４ミリ秒（ｍｓ）のタイミングで実装することが可能である。この第一アプローチにおいて（図６に関連して説明するように）、ＤＬおよびＵＬサブフレームを、４ｍｓのＤＬサブフレーム・グループまたはＤＬサブフレーム・セットに集めることができる。しかして、ＭＴＣデバイスは、８ｍｓの周期性を有する規則的な切替えパターンで、（ＤＬとＵＬとの間の）方向を切り替えることが可能である。これは、ＵＬスケジューリングに基づくランダムな切替えの代わりに実施することができる。このアプローチは、３ＧＰＰリリース８、９、および１０に記載された８ｍｓの往復時間（ＲＴＴ：Ｒｏｕｎｄ  Ｔｒｉｐ  Ｔｉｍｅ）を維持する。これは、スケジューリングを簡素化し、ＤＬに対する連続的なモニタリングを低減する。さらに、この第一アプローチは、標準的な４ｍｓのＵＬ−ＤＬアソシエーション・タイミングを維持する。
【００２８】
ＦＤＤネットワークにおける半二重オペレーションで、ＭＴＣデバイスが、同じＭＴＣデバイスから送信されるＵＬサブフレームの直前のＤＬサブフレームの最後の部分を受信しないことによって、保護期間を生成することができる。しかして、この第一アプローチでは、一つだけの制限事項が用いられてもよい。例えば、ＭＴＣデバイスに対し次のサブフレームでＵＬ送信がスケジュールされている場合、ＤＬサブフレーム・グループまたはＤＬサブフレーム・セット中の最後のＤＬサブフレームには、該ＭＴＣデバイスのための物理ダウンリンク共有チャンネル（ＰＤＳＣＨ：Ｐｈｙｓｉｃａｌ  Ｄｏｗｎｌｉｎｋ  Ｓｈａｒｅｄ  Ｃｈａｎｎｅｌ）をスケジュールしないでおくことができる。しかして、ＵＬサブフレーム・グループまたはＵＬサブフレーム・セット中の最後のＵＬサブフレーム中にＵＬ  ＨＡＲＱ−ＡＣＫレポートが必要とされなくなる。あるいは、ＭＴＣデバイスに対し、次のサブフレームでＵＬ送信がスケジュールされている場合、ＤＬサブフレーム・グループまたはＤＬサブフレーム・セット中の最後のＤＬサブフレームにおいて、該ＭＴＣデバイスに対するＰＤＳＣＨに割り当てられた直交周波数分割多重（ＯＦＤＭ：Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）シンボルの数を減らしてＰＤＳＣＨをスケジュールすることも可能である。保護期間および所与のＭＴＣのＰＤＳＣＨに対し割り当て可能なＯＦＤＭシンボルの数は、セルの展開（例えば、セルのサイズおよびＭＴＣデバイスとｅＮＢとの間の距離）に基づき（例えば、ｅＮＢが）決めることができる。なお、一つのＰＤＳＣＨをスケジューリングせずに、ＯＦＤＭシンボルの数を（一般的なＰＤＳＣＨに比べて）減らしたＰＤＳＣＨをスケジューリングすることは、本明細書で用いる「ＰＤＳＣＨ制限」または「スケジューリング制限」の例といえる。なお、ＤＬサブフレーム・グループまたはＤＬサブフレーム・セット中の最後のＤＬサブフレームは、次のＵＬサブフレーム・グループまたはＵＬサブフレーム・セットの最後のＵＬサブフレーム中に、物理アップリンク共有チャンネル（ＰＵＳＣＨ：Ｐｈｙｓｉｃａｌ  Ｕｐｌｉｎｋ  Ｓｈａｒｅｄ  Ｃｈａｎｎｅｌ）送信をスケジュールすることも依然として可能である。ＤＬサブフレーム・グループ中の最後のサブフレームは、しかしてバーチャルな切替えサブフレームとなり得る。図６に関連させて一例を説明する。
【００２９】
切替えパターンは、より高い階層の信号伝達によって、ＭＴＣデバイスまたはＭＴＣデバイスのグループに提供される。切替えパターンは、ＭＴＣデバイスのグループに対し同期させることもできるし、または各ＭＴＣデバイスで独立して維持することも可能である。後者の切替えパターンが独立して維持される場合、例えば、あるＭＴＣデバイスを対象とするＰＤＣＣＨが受信されたとき、該ＭＴＣデバイスは、切替えパターンに関し該デバイス自体のタイミングを持つことができる。
【００３０】
最後のＤＬサブフレームがＭＴＣデバイスに対するＰＤＳＣＨの送信に使われない場合、第一アプローチ中の切替えパターンを用いて（例えば、図６に関連させて説明するように）、ＭＴＣデバイスに対するＰＤＳＣＨ  ＨＡＲＱプロセスの最大数を３に低減することができる。さらに、ＭＴＣデバイスに対して低減された数のＯＦＤＭシンボルが用いられて最後のＤＬサブフレームがＰＤＳＣＨ送信のために使われる場合、ＭＴＣデバイスに対するＰＤＳＣＨ  ＨＡＲＱプロセスの最大数を４に低減することが可能である。さらに、ＰＵＳＣＨ  ＨＡＲＱプロセスの最大数も４に低減することができる。ＭＴＣデバイスは比較的低いデータ速度を有するので、さらなる制約を適用することが可能である。例えば、各ＭＴＣデバイスは、ＤＬサブフレーム・グループ中のただ一つのサブフレームを、しかして、対応するＵＬサブフレーム・グループ中のただ一つのサブフレームを使用することができる。この場合、ＤＬサブフレーム・グループ中の最後のサブフレームに関する制限は適用されない。というのは、同一のＭＴＣデバイスに対し、ＵＬサブフレームがＤＬサブフレームの直後にないからである。上記が構成されたならば、そのＭＴＣデバイスは、ＤＬサブフレーム・グループまたはセット中の他のＤＬサブフレームのモニタリングを停止することができる。
【００３１】
このアプローチの一つの利点は、ＦＤＤと同じアソシエーション・タイミングを使えるので、下位互換性があることである。ＦＤＤ−ＬＴＥ中の既知の半二重において、このアソシエーション・タイミングをｅＮＢのスケジューリングによって実現することができよう。但し、既知のアプローチでは、ＵＥまたはＭＴＣデバイスは、切替えパターンを知らず、ＵＬ送信をスケジュールされていない一切のサブフレーム中のダウンリンク送信に対してモニタを行う必要がある。したがって、ＭＴＣデバイスの半二重オペレーションに対し、第一アプローチによる切替えパターンおよびルールを規定することができる。
【００３２】
第二アプローチにおいて、アソシエーション・タイミングを延長して、より大きなＤＬサブフレーム・グループまたはセットおよびより大きなＵＬサブフレーム・グループまたはセットを形成することができる。ＭＴＣトラフィックは、遅延に過敏でないので、アソシエーション・タイミングを延長することが可能である。ＰＤＳＣＨ  ＨＡＲＱ−ＡＣＫ、ＰＵＳＣＨスケジューリング、およびＰＵＳＣＨ  ＨＡＲＱ−ＡＣＫを含め、一つ以上の（例えば全ての）アソシエーション・タイミングに対してオフセットを適用することができる。例えば、ｋ個のサブフレームのオフセットが使われていると仮定すると、ＭＴＣ  ＵＬ−ＤＬパターンは、（例えば、図７に関連させて説明するように）（４＋ｋ）のＤＬサブフレーム・グループおよび（４＋ｋ）のＵＬサブフレーム・グループを使い、周期性および２×（４＋ｋ）のＲＴＴを有するように延長することが可能である。
【００３３】
このオフセットは、より高い階層の信号伝達（例えば、ＲＲＣ信号伝達）を介して信号伝達することができる。これに加えまたはこれに換えて、オフセットを同期および／または一斉通信信号で信号伝達することも可能である。しかして、第二アプローチは、同様な利点と制約とを有する第一アプローチの延長ともいえる。いくつかのケースにおいて、ＰＤＳＣＨスケジューリングの制限が適用可能である。例えば、ＭＴＣデバイスに対し、次のサブフレームでＵＬ送信がスケジュールされている場合、ＤＬサブフレーム・グループまたはＤＬサブフレーム・セット中の最後のＤＬサブフレームには、該ＭＴＣデバイスのためのＰＤＳＣＨをスケジュールしないでおくことができる。しかして、ＵＬサブフレーム・グループまたはＵＬサブフレーム・セット中の最後のＵＬサブフレームでのＵＬ  ＨＡＲＱ−ＡＣＫレポートも必要がないことになる。あるいは、ＭＴＣデバイスに対して次のサブフレームでＵＬ送信がスケジュールされている場合、ＤＬサブフレーム・グループまたはＤＬサブフレーム・セット中の最後のＤＬサブフレームにおいて、該ＭＴＣデバイスに対するＰＤＳＣＨに割り当てられたＯＦＤＭシンボルの数を減らしてＰＤＳＣＨをスケジュールすることも可能である。保護期間および所与のＭＴＣのＰＤＳＣＨに対し割り当て可能なＯＦＤＭシンボルの数は、セルの展開（例えば、セルのサイズおよびＭＴＣデバイスとｅＮＢとの間の距離）に基づき（例えば、ｅＮＢが）決めることができる。
【００３４】
ＭＴＣデバイスに対する延長されたタイミングによって、異なったＨＡＲＱプロセスとスケジューリング・タイミングとのせいで、ＭＴＣデバイスを、標準的ＵＥから分離して管理することが必要となり得る。ＭＴＣデバイスが異なるグループ中で管理される場合、これらデバイスは、別個の（例えば独立した）タイミングおよびＨＡＲＱ−ＡＣＫプロセスを持つ新規のキャリヤとして取り扱うことができる。さらに、ＭＴＣデバイスは、既存の搬送波のサブバンドで動作することができ、しかして、これは、３ＧＰＰリリース８、９、および１０仕様に規定されたものにはまらないキャリヤ型である。このキャリヤは、独立的に運用し、それ自体のタイミングおよびＨＡＲＱ−ＡＣＫプロセスを持たせることができる。
【００３５】
最後のＤＬサブフレームがＭＴＣデバイスに対するＰＤＳＣＨ送信に使われていない場合、第二アプローチで説明した切替えパターンを用いて、ＭＴＣデバイスに対する最大ＰＤＳＣＨ  ＨＡＲＱプロセス数を（４＋ｋ−１）にすることが可能である。さらに、ＭＴＣデバイスに対し、最後のＤＬサブフレームが、数を減らしたＯＦＤＭシンボルを用いてＰＤＳＣＨ送信のために使われている場合は、ＭＴＣデバイスに対するＰＤＳＣＨ  ＨＡＲＱプロセスの最大数を（４＋ｋ）にすることができる。加えて、最大ＰＵＳＣＨ  ＨＡＲＱプロセス数を（４＋ｋ）に低減することが可能である。さらなる制約を適用することができる。例えば、各ＭＴＣデバイスは、ＤＬサブフレーム・グループ中のただ一つのサブフレームを、しかして、対応するＵＬサブフレーム・グループ中のただ一つのサブフレームを使用することができる。この場合、ＤＬサブフレーム・グループ中の最後のサブフレームに関する制限は適用されない。というのは、ＵＬサブフレームが同一のＭＴＣデバイスに対するＤＬサブフレームの直後にないからである。上記が構成されたならば、そのＭＴＣデバイスは、ＤＬサブフレーム・グループの中の他のＤＬサブフレームのモニタリングを停止することができる。延長されたアソシエーション・タイミングを使う半二重パターンの一例を図７に関連させて後記で説明する。
【００３６】
第三アプローチにおいて、異なったアソシエーション・タイミングを適用して保護期間を形成することができる。例えば、あるＭＴＣデバイスが標準的なＵＥほど強力でないことがある。したがって、該ＭＴＣデバイスは、ＤＬ受信を処理するために比較的長い時間を必要とし得る。しかしながら、ｅＮＢが、ＲＴＴを低減するために最小限の遅延もなくフィードバックを送信することがある。しかして、第三アプローチにおいて、相異なるアソシエーション・タイミングに対し相異なるオフセットを適用することができる。
【００３７】
一つのケースにおいて、ＰＵＳＣＨ  ＨＡＲＱ−ＡＣＫフィードバック・タイミングに対してはオフセットを導入せずに、ＰＤＳＣＨ  ＨＡＲＱ−ＡＣＫタイミングおよびＰＵＳＣＨスケジューリング・タイミングの両方に対して同じオフセットを適用することが可能である。例えば、オフセットをｉとすると、ＤＬおよびＵＬサブフレーム・グループ化を用い、ＤＬサブフレーム・グループとＵＬサブフレーム・グループとの間にｉの保護期間を形成することができる。この保護期間中は、ＭＴＣデバイスは、いかなるＰＤＳＣＨまたはＰＵＳＣＨスケジューリングも期待することはできない。
【００３８】
別のケースにおいて、ＰＵＳＣＨ  ＨＡＲＱ−ＡＣＫフィードバック・タイミングに対してｋのオフセットを導入し、ＰＤＳＣＨ  ＨＡＲＱ−ＡＣＫタイミングおよびＰＵＳＣＨスケジューリング・タイミングに対して（ｋ＋ｉ）のオフセットを適用することが可能である。ＤＬおよびＵＬサブフレーム・グループ化を用い、ＤＬサブフレーム・グループとＵＬサブフレーム・グループとの間にｉの保護期間を形成することができる。この保護期間中は、ＭＴＣデバイスは、いかなるＰＤＳＣＨまたはＰＵＳＣＨスケジューリングも期待することはできない。
【００３９】
タイミング・オフセットを用いた保護期間の一例が図８に示されている。具体的には、標準のＰＵＳＣＨ  ＨＡＲＱ−ＡＣＫフィードバック・タイミングと、ＰＤＳＣＨ  ＨＡＲＱ−ＡＣＫおよびＰＵＳＣＨスケジューリング・タイミングの両方とに２のオフセットを用いた、第三アプローチの一例が、図８に関連させて説明されている。しかして、ＤＬからＵＬへの切り替えに対し２つのサブフレームの保護期間を形成することができる。
【００４０】
第四アプローチにおいて、バランスしていないＵＬとＤＬとの通信に対し、グループ・アソシエーション・マッピングを適用することが可能である。前述のアプローチでは、ＤＬとＵＬとに対して同数のサブフレームが構成されていることを前提とすることも、しないこともできる。また、これらのアプローチでは、ＤＬおよびＵＬアソシエーションの各型に対し同じタイミングおよびオフセットが使われていることを前提にすることも、しないことも可能である。ＭＴＣデバイス（例えば、低コストＭＴＣデバイス）に対し、相異なるサブフレームに相異なるオフセットを用いて、ＵＬとＤＬとの切替えパターンを適用することができる。さらに、グループ・リンケージを使うことも可能である（例えば、一つ以上のＤＬサブフレームを一つのＵＬサブフレームにマップすることが可能で、その逆も可能である）。一定のリンケージを維持するために、ＰＵＳＣＨ  ＨＡＲＱ−ＡＣＫおよびＰＵＳＣＨスケジューリング・サブフレームを、ＵＬ−ＤＬパターン中の同じ位置におくことができる。グループ・アソシエーション・マッピングの一例を図９に関連させて説明する。さらに具体的には、可変アソシエーション・タイミングを用い、２つのＤＬサブフレームを一つのＵＬサブフレームにマップした一例を、図９に関連させて後記で説明する。
【００４１】
第五アプローチにおいて、アソシエーション・タイミングを、無線フレーム構造体を用いて同期に適用することができる。３ＧＰＰリリース８、９、および１０仕様中のＦＤＤ−ＬＴＥのアソシエーション・タイミングでは、ＲＲＴは（例えば、ＬＴＥシステムに対する最小限遅延の）８ＴＴＩである。しかしながら、８ｍｓＲＴＴは、１０ｍｓ無線フレーム構造体には同期しない。８ｍｓの周期性パターンを用いて信号伝達を行うのは、信号が各無線フレームの中で連続的にシフトしているので困難なことがある。したがって、ＭＴＣデバイス（例えば低コストＭＴＣデバイス）に対するＲＴＴを（例えば１０ｍｓの）無線フレームに同期させる方が都合がよい。こうすれば、本明細書に開示のシステムおよび方法によって、半二重フレーム構造体の周期性を無線フレームの周期性と同じにすることが可能となる。
【００４２】
例えば、先述の第二アプローチによって、オフセットｋ＝１を適用することが可能である。この場合、全アソシエーション・タイミングは、例えば４ｍｓに換えて５ｍｓになる。別の例において、ＰＤＳＣＨ  ＨＡＲＱ−ＡＣＫおよびＰＵＳＣＨスケジューリングだけに、２のオフセットを適用することができる（例えば、図８に関連させて説明するように）。
【００４３】
第六アプローチにおいて、ＦＤＤ−ＬＴＥネットワークに対しＴＤＤ構成を適用することが可能である。ＴＤＤ−ＬＴＥは、本質的に半二重構造を用い、異なったＵＬ−ＤＬ構成を有し得る。ＴＤＤ−ＬＴＥは、５ｍｓもしくは１０ｍｓの周期性を有する。したがって、これは無線フレーム構造体に同期する。しかして、ＦＤＤ−ＬＴＥにＴＤＤ構成を適用するのは、ＦＤＤ−ＬＴＥ上の半二重通信をサポートするためのもう一つオプションである。
【００４４】
ＴＤＤ−ＬＴＥは、ＵＬとＤＬとに対して同じ搬送波で動作する。ＦＤＤでは、ＤＬとＵＬとは異なった搬送波上にある。但し、ＦＤＤネットワークにおいても、ＴＤＤ構成と同じアソシエーション・タイミングをＭＴＣデバイスに適用することは可能である。ＭＴＣデバイスがＴＤＤのタイミングに追従するならば、スケジューリング上の不一致は生じない。ＦＤＤ−ＬＴＥ上にＴＤＤ  ＵＬ−ＤＬ構成を適用する一例を、図１０に関連させて後記で説明する。さらに具体的には、ＦＤＤ−ＬＴＥにＴＤＤ  ＵＬ−ＤＬ構成１を適用する一例を、図１０に関連させて後記で説明する。但し、標準的ＴＤＤ構成におけるような特殊なサブフレームはない可能性があることに留意する。しかしながら、ＤＬサブフレーム・グループ中の最後のＤＬサブフレームでの制限を設けることが可能で、例えば、ＭＴＣデバイスは、同じＭＴＣデバイスからのＵＬサブフレームの直前のＤＬサブフレームの最後の部分を受信しないことによって、保護期間を生成することができる。言い換えれば、ＤＬサブフレーム・グループ中の最後のＤＬサブフレームは、低減されたＰＤＳＣＨ割り当ておよび保護期間を用い、バーチャルな特殊サブフレームとして機能することが可能である。いくつかのケースにおいて、ＰＤＳＣＨスケジューリングへの制限を適用することができる。例えば、ＭＴＣデバイスに対し、次のサブフレームでＵＬ送信がスケジュールされている場合、ＤＬサブフレーム・グループまたはＤＬサブフレーム・セット中の最後のＤＬサブフレームでは、該ＭＴＣデバイスのためのＰＤＳＣＨをスケジュールしないでおくことができる。しかして、対応するＵＬ  ＰＤＳＣＨに対するＨＡＲＱ−ＡＣＫレポートの必要もないことになる。あるいは、ＭＴＣデバイスに対し、次のサブフレームでＵＬ送信がスケジュールされている場合、ＤＬサブフレーム・グループまたはＤＬサブフレーム・セット中の最後のＤＬサブフレームにおいて、該ＭＴＣデバイスに対するＰＤＳＣＨに割り当てられたＯＦＤＭシンボルの数を減らしてＰＤＳＣＨをスケジュールすることも可能である。保護期間および所与のＭＴＣデバイスのＰＤＳＣＨに対し割り当て可能なＯＦＤＭシンボルの数は、セルの展開（例えば、セルのサイズおよびＭＴＣデバイスとｅＮＢとの間の距離）に基づき（例えば、ｅＮＢによって）決めることができる。
【００４５】
同じＤＬまたはＵＬサブフレームに対し、ＴＤＤ構成上でのタイミングが、ＦＤＤのタイミングと異なり得る（例えばその可能性が高い）。これが問題となることがある。但し、ＭＴＣデバイスが異なったグループにおいて管理されている場合は、それらデバイスを別個のタイミングおよびＨＡＲＱ−ＡＣＫプロセスを有する別個のキャリヤとして取り扱うことができる。さらに、ＭＴＣデバイスは、既存の搬送波のサブバンドで動作することができ、しかして、これは、３ＧＰＰリリース８、９、および１０仕様に規定されたものにはまらないキャリヤ型である。このキャリヤは、独立的に運用し、別個のタイミングおよびＨＡＲＱ−ＡＣＫプロセスを持たせることができる。
【００４６】
異なった型のＭＴＣデバイスは、異なったトラフィック特性を有し得、異なったＵＬ−ＤＬ構成を必要とすることがある。同じＴＤＤ  ＵＬ−ＤＬ構成を全てのＭＴＣデバイスに適用することができる。あるいは、相異なるＭＴＣデバイスに相異なるＴＤＤ  ＵＬ−ＤＬ構成を適用することも可能である。複数のＴＤＤ  ＵＬ−ＤＬ構成が適用される場合、ＭＴＣデバイスは、該デバイス自体に設定されたＴＤＤ  ＵＬ−ＤＬ構成に従うことができる。相異なるＭＴＣデバイスに、複数のＴＤＤ  ＵＬ−ＤＬ構成が適用される場合、相異なるＴＤＤ構成のＨＡＲＱ−ＡＣＫプロセスを別個に維持することが可能である。しかして、各ＴＤＤ  ＵＬ−ＤＬ構成を独立した搬送波型または新規の搬送波型と見なすことができる。
【００４７】
ＭＴＣデバイスまたはＭＴＣデバイスのグループに対しあるＴＤＤ  ＵＬ−ＤＬ構成が適用される場合、同期および一斉通信チャネルなどを通しより高い階層の一つ以上の信号伝達（例えば、ＲＲＣ信号伝達）を介して、実際のＵＬ−ＤＬ構成をデバイスに示すことが可能である。ＭＴＣデバイス群に対し複数のＴＤＤ  ＵＬ−ＤＬ構成が用いられる場合、同期および一斉通信チャネルなどを通し、より高い階層の一つ以上の信号伝達（例えば、ＲＲＣ信号伝達）を介して、実際のＵＬ−ＤＬ構成を、デバイスに示すことができる。
【００４８】
あるいは、相異なる型のＭＴＣデバイスに対し相異なるＴＤＤ  ＵＬ−ＤＬ構成を設定するのに換えて、ｅＮＢが、ＭＴＣデバイスのフレキシブルで動的なＵＬ−ＤＬ構成をできるようにすることもできる。この場合、同じセル中のＭＴＣデバイスのＨＡＲＱ−ＡＣＫプロセスは、一つの搬送波または新規の搬送波として一緒に管理することが可能である。これは、ＰＤＳＣＨとＰＵＳＣＨタイミングとに別個の基準構成を適用することによって、達成することができる。
【００４９】
例えば、ｅＮＢは、ＰＤＳＣＨ  ＨＡＲＱ−ＡＣＫタイミングに対する第一基準ＴＤＤ  ＵＬ−ＤＬ構成を示し（例えば信号伝達し）、ＰＵＳＣＨスケジューリングおよびＰＵＳＣＨ  ＨＡＲＱ−ＡＣＫタイミングに対する第二基準ＴＤＤ  ＵＬ−ＤＬ構成を示す（例えば信号伝達する）ことが可能である。第一基準構成におけるＵＬサブフレーム・セットを、第二基準構成におけるＵＬサブフレーム・セットのサブセットとすることができる。さらに、第二基準構成におけるＤＬサブフレーム・セットを、第一基準構成におけるＤＬサブフレーム・セットのサブセットとすることが可能である。ＰＤＳＣＨとＰＵＳＣＨとに対し別個のタイミングを用い、ｅＮＢは、いかなる不一致およびいかなるタイミング変化もなしに、ＭＴＣデバイスに対するいくつかのサブフレームにおける方向を動的に選択することができる。
【００５０】
ＭＴＣデバイスに対し、第一ＴＤＤ  ＵＬ−ＤＬ構成および第二ＴＤＤ  ＵＬ−ＤＬ構成が使われている場合、同期および一斉通信チャネルなどを通し、より高い階層の一つ以上の信号伝達（例えば、ＲＲＣ信号伝達）を介して、該第一および第二ＵＬ−ＤＬ構成をデバイスに示すことが可能である。
【００５１】
一例において（例えば、図１１に関連させて説明するように）、ｅＮＢは、ＭＴＣのトラフィック特性により、最大限４０％のアップリンク割り当て、および最大限８０％のダウンリンク割り当てを提供する。この例において、ｅＮＢは、ＰＤＳＣＨ  ＨＡＲＱ−ＡＣＫレポートに対する第一基準構成として、アップリンク搬送波中のサブフレーム２およびサブフレーム３の中で全ＰＤＳＣＨ  ＨＡＲＱ−ＡＣＫがレポート可能なように、２つのＵＬサブフレームと１０ｍｓの周期性とを備えるＴＤＤ  ＵＬ−ＤＬ構成４を設定することができる。他方で、ｅＮＢは、第二基準構成として、５ｍｓの周期性の２つのＵＬサブフレームを備えるＴＤＤ  ＵＬ−ＤＬ構成１を設定し、１０ｍｓ毎に最大４つまでのＵＬサブフレーム中へのＰＵＳＣＨスケジューリングを可能にすることができる。ＦＤＤネットワークにおいて半二重オペレーションを用い、ＭＴＣデバイスは、同じＭＴＣデバイスからのＵＬサブフレームの直前のＤＬサブフレームの最後の部分を受信しないことによって、保護期間を生成することができる。アソシエーション・タイミングに応じ、ｅＮＢによって、ＤＬもしくはＵＬに動的に割り当てることが可能な変換可能サブフレームを、サブフレームに用いることができる。これは、複雑な信号伝達なしに、リソース割り当てに対するフレキシビリティを提供する。なお、変換可能サブフレームがＤＬからＵＬに変換され、且つ該変換可能サブフレームが、ＤＬ送信のため割り当てられたあるサブフレームの直後にある場合、ＭＴＣデバイスは、同じＭＴＣデバイスからの変換されたＵＬサブフレームの直前のＤＬサブフレームの最後の部分を受信しないことによって、保護期間を生成することができる。
【００５２】
さらに、所与のＴＤＤ  ＵＬ−ＤＬ構成で、ＭＴＣデバイスは、サブフレームのあるサブセットだけをモニタするよう信号伝達を受けることが可能である。これにより、ＭＴＣデバイスにおけるＨＡＲＱ−ＡＣＫプロセスの回数を低減することができ、さらなる電力節減を提供することが可能である。一例において（例えば、設定）、一つのＭＴＣデバイスにおいて一回だけのＨＡＲＱ−ＡＣＫプロセスをサポートすることができる。
【００５３】
基準ＴＤＤ  ＵＬ−ＤＬ構成がＭＴＣデバイスまたはＭＴＣデバイスのグループに適用される場合、同期および一斉通信チャネルなどを通し、より高い階層の一つ以上の信号伝達（例えば、ＲＲＣ信号伝達）を介して、該基準ＵＬ−ＤＬ構成をＭＴＣデバイスに提供することが可能である。
【００５４】
ｅＮＢは、ＭＴＣデバイスに用いられるサブフレームにさらに制限を設けることができる。しかして、あるＴＤＤ  ＵＬ−ＤＬ構成において、サブフレームのあるサブセットだけを用いることが可能である。あるＭＴＣデバイスは低減された数のＨＡＲＱプロセスを持たせることができる。例えば、ＭＴＣデバイスが、一つだけのＨＡＲＱプロセスを有し、現在のパケットのＨＡＲＱプロセスが完了するまではさらなるパケットを送信できないようにすることが可能である。
【００５５】
ＨＡＲＱ−ＡＣＫプロセスに対しては、無線フレーム中の同じサブフレームの位置を維持すると都合がよい。こうすれば、１０ｍｓのＲＴＴを備えるＴＤＤ  ＵＬ−ＤＬ構成を、５ｍｓの周期性を備える構成のために用いることができる。他方で、ＭＴＣデバイスのトラフィックは、遅延に過敏でないことが多く、１０ｍｓの周期性を備える構成を用いることが可能である。１０ｍｓの周期性を備えるＴＤＤ構成を用いて、ＤＬ−ＵＬ切替えの回数を低減（例えば最小化）することができる。
【００５６】
本明細書に開示のシステムおよび方法の様々な例を、図面を参照しながら以下に説明する。図中の同じ参照番号は機能的に類似のエレメントを示し得る。本明細書の図面中で一般的に説明され例示されるシステムおよび方法は、様々な異なった実装中に配置および設計することができよう。しかして、これら図面に表されたいくつかの実装についての以下のより詳細な説明は、本特許請求の範囲を限定することは意図されておらず、本システムおよび方法の単なる代表である。
【００５７】
図１は、半二重通信を可能にするためのシステムおよび方法を実装することが可能な、ｅＮＢ１６０および一つ以上の無線通信デバイス１０２の一つの構成を示すブロック図である。この無線通信デバイス１０２の一例が、ＭＴＣデバイスである。一つ以上の無線通信デバイス１０２は、一つ以上のアンテナ１２２ａ−ｎを使ってｅＮＢ１６０と通信する。例えば、無線通信デバイス１０２は、一つ以上のアンテナ１２２ａ−ｎを使って、電磁気信号をｅＮＢ１６０に送信し、ｅＮＢ１６０から電磁気信号を受信する。ｅＮＢ１６０は、一つ以上のアンテナ１８０ａ−ｎを使って無線通信デバイス１０２と通信する。
【００５８】
無線通信デバイス１０２およびｅＮＢ１６０は、相互に通信するため一つ以上のチャネル１１９、１２１を用いることができる。例えば、無線通信デバイス１０２は、一つ以上のアップリンク・チャネル１２１を用いて情報またはデータをｅＮＢ１６０に送信することが可能である。アップリンク・チャネル１２１の例には、ＰＵＣＣＨおよび物理アップリンク共有チャネル（ＰＵＳＣＨ）などが含まれる。また、ｅＮＢ１６０は、例えば、一つ以上のダウンリンク・チャネル１１９を用いて、情報またはデータを一つ以上の無線通信デバイス１０２に送信することが可能である。ダウンリンク・チャネル１１９の例には、ＰＤＣＣＨ、ＰＤＳＣＨなどが含まれる。他の種類のチャネルも使用することができる。
【００５９】
一つ以上の無線通信デバイス１０２の各々は、一つ以上のトランシーバ１１８、一つ以上のディモジュレータ１１４、一つ以上のデコーダ１０８、一つ以上のエンコーダ１５０、一つ以上のモジュレータ１５４、受信データ・バッファ１０４、送信データ・バッファ１４６、およびオペレーション・モジュール１２４を含むことができる。例えば、一つ以上の受信および／または送信経路を、無線通信デバイス１０２に実装することができる。便宜上、無線通信デバイス１０２中には、各一つだけのトランシーバ１１８、デコーダ１０８、ディモジュレータ１１４、エンコーダ１５０、およびモジュレータ１５４が示されているが、複数並列のエレメント群（例えば、トランシーバ群１１８、デコーダ群１０８、ディモジュレータ群１１４、エンコーダ群１５０、およびモジュレータ群１５４）を実装することが可能である。
【００６０】
トランシーバ１１８は、一つ以上のレシーバ１２０および一つ以上のトランスミッタ１５８を含むことができる。一つ以上のレシーバ１２０は、一つ以上のアンテナ１２２ａ−ｎを使ってｅＮＢ１６０からの信号を受信することが可能である。例えば、レシーバ１２０は、信号を受信およびダウンコンバートして一つ以上の受信信号１１６を生成することができる。一つ以上の受信信号１１６は、ディモジュレータ１１４に送ればよい。一つ以上トランスミッタ１５８は、一つ以上のアンテナ１２２ａ−ｎを使って、ｅＮＢ１６０に信号を送信することができる。例えば、一つ以上のトランスミッタ１５８は、一つ以上の変調信号１５６をアップコンバートして送信することが可能である。
【００６１】
ディモジュレータ１１４は、一つ以上の受信信号１１６を復調して一つ以上の復調信号１１２を生成することができる。一つ以上の復調信号１１２はデコーダ１０８に送ればよい。無線通信デバイス１０２は、デコーダ１０８を使って信号を復調することができる。デコーダ１０８は、一つ以上の復号信号１０６、１１０を生成することが可能である。例えば、第一復号信号１０６は、受信されたペイロード・データを含むことができ、該データは受信データ・バッファ１０４中に格納すればよい。第二復号信号１１０は、オーバーヘッド・データおよび／または制御データを含むことができる。例えば、第二復号信号１１０は、オペレーションズ・モジュール１２４が一つ以上のオペレーションを実行するために使用可能なデータを提供することができる。
【００６２】
本明細書で用いる用語「モジュール」とは、特定のエレメントまたはコンポーネントをハードウェア、ソフトウェア、またはハードウェアとソフトウェアとの組み合わせ中に実装できることを意味し得る。しかしながら、本明細書で「モジュール」として述べられたどのエレメントも、別途にハードウェア中に実装され得ることに留意すべきである。例えば、オペレーションズ・モジュール１２４は、ハードウェア、ソフトウェア、またはハードウェアとソフトウェアとの組み合わせ中に実装することが可能である。
【００６３】
一般に、オペレーションズ・モジュール１２４は、無線通信デバイス１０２がｅＮＢ１６０と通信することを可能にすることができる。オペレーションズ・モジュール１２４は、半二重フレーム構造体判定モジュール１２８およびアソシエーション１３０を含むことができる。
【００６４】
半二重フレーム構造体判定モジュール１２８は、ｅＮＢ１６０と通信するための半二重フレーム構造体を判定することができる。例えば、フレーム構造は、その中で通信が行われるＵＬサブフレームおよびＤＬサブフレームの数を規定することが可能である。例えば、無線通信デバイス１０２は、一つ以上のＵＬサブフレーム中のＵＬ情報を送信し、一つ以上のＤＬサブフレーム中のＤＬ情報を受信することができる。さらに、ｅＮＢ１６０は、一つ以上のＤＬサブフレームでＤＬ情報を送信することができ、一つ以上のＵＬサブフレームでＵＬ情報を受信することができる。いくつかのケースにおいて、無線通信デバイス１０２は、無線フレームの周期性と同じ周期性を有する半二重フレーム構造体を定めることが可能である。例えば、半二重フレーム構造体の周期性を、１０ｍｓの一般的な無線フレーム周期性とすることができる。
【００６５】
いくつかの実装において、半二重フレーム構造体を色々な搬送波に適用することが可能である。例えば、ＵＬサブフレーム・グループは第一搬送波に対応させ、ＤＬサブフレーム・グループは、第一搬送波とは別個の第二搬送波に対応させることができる。例えば、ＴＤＤ−ＬＴＥ構成をＦＤＤ−ＬＴＥ搬送波に適用することが可能である。さらなる詳細を後記で示す。
【００６６】
本明細書に開示のシステムおよび方法によれば、無線通信デバイス１０２は（例えば、ｅＮＢ１６０から）インジケータを受信し、そのインジケータに基づいて半二重フレーム構造体を決めることができる。このインジケータは、ＲＲＣ信号伝達、一斉通信信号、および同期信号の一つ以上を介して受信することができる。いくつかの実装において、このインジケータは、無線通信デバイス１０２に格納された半二重フレーム構造体のセットからの、特定の半二重フレーム構造体の選択を示す。これに加えまたはこれに換えて、インジケータは、ＵＬサブフレームの数、ＤＬサブフレームの数、およびサブフレームの位置（群）（例えば、開始時間、グループ中の最初のサブフレームなど）など、半二重フレーム構造体を定めるための一つ以上のパラメータを示すことができる。上記に加えまたは上記に換えて、インジケータは、一つ以上のオフセットを提供することもできる。いくつかの実装において、一つ以上のオフセットが、インジケータとは別に示される（例えば送信される）。
【００６７】
アソシエーション１３０は、一つ以上の種類のサブフレームまたはタイミング・アソシエーションを含むことができる。アソシエーション１３０の例には、ＰＤＳＣＨ  ＨＡＲＱ−ＡＣＫアソシエーション、ＰＵＳＣＨ  ＨＡＲＱ−ＡＣＫアソシエーション、およびＰＵＳＣＨスケジューリング・アソシエーションが含まれる。ＰＤＳＣＨ  ＨＡＲＱ−ＡＣＫアソシエーションは、無線通信デバイス１０２が、ＰＤＳＣＨを含むＤＬサブフレームに基づき、ＰＤＳＣＨ  ＨＡＲＱ−ＡＣＫをその中で送信できるＵＬサブフレームを示すことができる。ＰＵＳＣＨスケジューリング・アソシエーションは、無線通信デバイス１０２が、ＰＵＳＣＨをスケジュールするためのＰＤＳＣＨを含むＤＬサブフレームに基づき、ＵＬ情報（ＰＵＳＣＨ中の）をその中で送信できるＵＬサブフレームを示すことができる。ＰＵＳＣＨ  ＨＡＲＱ−ＡＣＫアソシエーションは、無線通信デバイス１０２が、ＰＵＳＣＨを含むＵＬサブフレーム（例えばその中でＰＵＳＣＨが送信される）に基づき、ＰＵＳＣＨ  ＨＡＲＱ−ＡＣＫをその中から受信できるＤＬサブフレームを示すことができる。いくつかのケースにおいて、無線通信デバイス１０２は、グループ・アソシエーション・マッピングを適用することが可能である。グループ・アソシエーション・マッピングでは、一方向の２つ以上のサブフレームを他方向の単一のサブフレームと関連付けることが可能である。例えば、２つの異なったＤＬサブフレームを、単一のＵＬサブフレームと関連付けることが可能である。これに加えまたはこれに換えて、２つの異なったＵＬサブフレームを、単一のＤＬサブフレームと関連付けることもできる。さらなる詳細を後記で示す。
【００６８】
いくつかの実装において、無線通信デバイス１０２は、一つ以上のアソシエーション１３０を調整することができる。例えば、無線通信デバイス１０２は、一つ以上のアソシエーション１３０を延長する一つ以上のオフセットを適用することが可能である。一つ以上のオフセットはｅＮＢ１６０から受信することができる。いくつかのケースにおいて、無線通信デバイス１０２は、保護期間を形成するために、（例えば相異なるオフセットに基づいて）相異なるアソシエーション・タイミングを適用することが可能である。さらなる詳細を後記で示す。
【００６９】
本明細書に開示のシステムおよび方法によれば、無線通信デバイス１０２によって決められた半二重フレーム構造体は、規則的なＵＬとＤＬとの切替えパターンを有することができる。「ＵＬとＤＬとの切替え」とは、隣接する半二重フレーム構造体のサブフレームが相異なる方向を有する時間点を言う。例えば、ＵＬとＤＬとの切替えは、ＵＬサブフレームの後にＤＬサブフレームが続く場合、またはＤＬサブフレームの後にＵＬサブフレームが続く場合に生じる。本明細書で用いる「規則的な」切替えパターンは、半二重フレーム構造体においてある特定のパターンが繰り返し可能なことを意味し得る。例えば、ある半二重フレーム構造体が８つのサブフレームを含み、その５つがＤＬサブフレームでありその後に３つのＵＬサブフレームが続くと仮定しよう。この例において、ＤＬからＵＬへの切替えは、５番目のサブフレームと６番目のサブフレームとの間ごとに繰り返され、ＵＬからＤＬへの切替えは８番目のサブフレームと（後続のサブフレームのグループの）１番目のサブフレームとの間ごとに繰り返される。
【００７０】
半二重フレーム構造体は、一つのＵＬサブフレームまたは複数の連続したＵＬサブフレームを含む、少なくとも一つのＵＬサブフレーム・グループを含み得る。さらに、半二重フレーム構造体は、一つのＤＬサブフレームまたは複数の連続したＤＬサブフレームを含む、少なくとも一つのＤＬサブフレーム・グループを含み得る。ＵＬサブフレーム・グループおよびＤＬサブフレーム・グループは、同じ数のサブフレームを含むことも、含まれないことも可能である（例えば、いくつかのケースにおいて、ＵＬサブフレーム・グループは、ＤＬサブフレーム・グループとは異なる数のサブフレームを有し得る）。
【００７１】
いくつかのケースにおいて、無線通信デバイス１０２は、ＤＬサブフレーム・グループ中のサブフレームの全てをモニタしなくてもよい。例えば、無線通信デバイス１０２には、ＤＬサブフレーム・セット中のＤＬサブフレームの全ては含まれていない、特定のＤＬサブフレームまたはサブフレーム・セットを割り当てることができる。これは、前述したインジケータによって示すか、あるいは、ｅＮＢ１６０によって別個に信号伝達することが可能である。しかして、無線通信デバイス１０２は、限定されたＤＬサブフレーム・セットをモニタすればよい。
【００７２】
オペレーションズ・モジュール１２４は、一つ以上のレシーバ１２０に情報１４８を提供することができる。例えば、オペレーションズ・モジュール１２４は、決められた半二重構造体に基づく送信を、受信するときとしないときとを、レシーバ（群）１２０に連絡することが可能である。
【００７３】
オペレーションズ・モジュール１２４は、ディモジュレータ１１４に情報１３８を提供することができる。例えば、オペレーションズ・モジュール１２４は、ｅＮＢ１６０からの送信に対し予期される変調パターンを、ディモジュレータ１１４に連絡することが可能である。
【００７４】
オペレーションズ・モジュール１２４は、デコーダ１０８に情報１３６を提供することができる。例えば、オペレーションズ・モジュール１２４は、ｅＮＢ１６０からの送信に対し予期される符号化を、デコーダ１０８に連絡することが可能である。
【００７５】
オペレーションズ・モジュール１２４は、エンコーダ１５０に情報１４２を提供することができる。この情報１４２は、符号化対象のデータおよび／または符号化に対する命令を含むことが可能である。例えば、オペレーションズ・モジュール１２４は、エンコーダ１５０に対し、送信データ・バッファ１４６中に格納された送信データ、および／または制御情報１４２を符号化するよう命令することができる。
【００７６】
エンコーダ１５０は、送信データ・バッファ１４６によって提供される送信データ、および／またはオペレーションズ・モジュール１２４によって提供される他の情報１４２を符号化することが可能である。例えば、送信データおよび／または他の情報１４２を符号化するには、誤り検出および／または訂正符号化、スペースへのデータのマッピング、送信のための時間および／または周波数リソース、多重化などが必要となり得る。エンコーダ１５０は、符号化されたデータ１５２をモジュレータ１５４に送ればよい。
【００７７】
オペレーションズ・モジュール１２４は、モジュレータ１５４に情報１４４を提供することができる。例えば、オペレーションズ・モジュール１２４は、ｅＮＢ１６０への送信に用いる予定の変調の型（例えば、配置マッピング）を、モジュレータ１５４に連絡することが可能である。モジュレータ１５４は、符号化されたデータ１５２を変調し、一つ以上の変調信号１５６を一つ以上のトランスミッタ１５８に送ることができる。
【００７８】
オペレーションズ・モジュール１２４は、一つ以上のトランスミッタ１５８に情報１４０を提供することができる。この情報１４０は、一つ以上のトランスミッタ１５８に対する命令を含むことが可能である。例えば、オペレーションズ・モジュール１２４は、一つ以上のトランスミッタ１５８に対し、何時ｅＮＢ１６０に信号を送信するかを命令することができる。いくつかの構成において、この送信は、決められた半二重フレーム構造体に基づくものとすることができる。例えば、一つ以上のトランスミッタ１５８は、あるＵＬサブフレームの過程で送信を行うことが可能である。一つ以上のトランスミッタ１５８は、変調された信号（群）１５６をアップコンバートし、ｅＮＢ１６０に送信することができる。
【００７９】
ｅＮＢ１６０は、一つ以上のトランシーバ１７６、一つ以上のディモジュレータ１７２、一つ以上のデコーダ１６６、一つ以上のエンコーダ１０９、一つ以上モジュレータ１１３、受信データ・バッファ１６２、送信データ・バッファ１０５、およびｅＮＢオペレーションズ・モジュール１８２を含むことができる。例えば、一つ以上の受信および／または送信経路をｅＮＢ１６０の中に実装することが可能である。便宜上、ｅＮＢ１６０中には、各一つだけのトランシーバ１７６、デコーダ１６６、ディモジュレータ１７２、エンコーダ１０９、およびモジュレータ１１３が示されているが、複数並列のエレメント群（例えば、トランシーバ群１７６、デコーダ群１６６、ディモジュレータ群１７２、エンコーダ群１０９、およびモジュレータ群１１３を実装することが可能である。
【００８０】
トランシーバ１７６は、一つ以上のレシーバ１７８および一つ以上のトランスミッタ１１７を含むことができる。一つ以上のレシーバ１７８は、一つ以上のアンテナ１８０ａ−ｎを使って無線通信デバイス１０２からの信号を受信することが可能である。例えば、レシーバ１７８は、信号を受信し、ダウンコンバートして一つ以上の受信信号１７４を生成することができる。一つ以上の受信信号１７４は、ディモジュレータ１７２に送ればよい。一つ以上トランスミッタ１１７は、一つ以上のアンテナ１８０ａ−ｎを使って、無線通信デバイス１０２に信号を送信することができる。例えば、一つ以上のトランスミッタ１１７は、一つ以上の変調信号１１５をアップコンバートして送信することが可能である。
【００８１】
ディモジュレータ１７２は、一つ以上の受信信号１７４を復調して一つ以上の復調信号１７０を生成することができる。一つ以上の復調信号１７０はデコーダ１６６に送ればよい。ｅＮＢ１６０は、デコーダ１６６を使って信号を復調することができる。デコーダ１６６は、一つ以上の復号信号１６４、１６８を生成することが可能である。例えば、第一ｅＮＢ復号信号１６４は、受信されたペイロード・データを含むことができ、該データは受信データ・バッファ１６２中に格納すればよい。第二ｅＮＢ復号信号１６８は、オーバーヘッド・データおよび／または制御データを含むことができる。例えば、第二ｅＮＢ復号信号１６８は、ｅＮＢオペレーションズ・モジュール１８２が一つ以上のオペレーションを実行するために使用可能なデータを提供することができる。
【００８２】
一般に、ｅＮＢオペレーションズ・モジュール１８２は、ｅＮＢ１６０が、一つ以上の無線通信デバイス１０２と通信することを可能にすることができる。ｅＮＢオペレーションズ・モジュール１８２は、半二重フレーム構造体インジケータ生成モジュール１９４およびアソシエーション１９６を含むことが可能である。
【００８３】
半二重フレーム構造体インジケータ生成モジュール１９４は、無線通信デバイス１０２に送信するためのインジケータを生成することができる。このインジケータは特定の半二重フレーム構造体を示すことが可能である。該インジケータを、ＲＲＣ信号伝達、一斉通信信号、および同期信号の一つ以上を介して送信することができる。いくつかの実装において、該インジケータは、無線通信デバイス１０２上に格納された半二重フレーム構造体のセットからの、特定の半二重フレーム構造体の選択を示すことが可能である。これに加えまたはこれに換えて、インジケータは、ＵＬサブフレームの数、ＤＬサブフレームの数、およびサブフレームの位置（群）（例えば、開始時間、グループ中の最初のサブフレームなど）など、半二重フレーム構造体を定めるための一つ以上のパラメータを示すことができる。上記に加えまたは上記に換えて、インジケータは、一つ以上のオフセットを提供することもできる。いくつかの実装において、一つ以上のオフセットが、インジケータとは別に示される（例えば、送信される）。本明細書に開示のシステムおよび方法によれば、該インジケータによって示された半二重フレーム構造体は、規則的なＵＬとＤＬとの切替えパターンを有し得る。
【００８４】
いくつかの実装において、半二重フレーム構造体を各種の搬送波に適用することが可能である。例えば、ＵＬサブフレーム・グループは第一搬送波に対応させ、ＤＬサブフレーム・グループは、第一搬送波とは別個の第二搬送波に対応させることができる。例えば、ＴＤＤ−ＬＴＥ構成をＦＤＤ−ＬＴＥ搬送波で適用することが可能である。さらなる詳細を後記で示す。
【００８５】
アソシエーション１９６は、一つ以上の種類のサブフレームまたはタイミング・アソシエーションを含むことができる。アソシエーション１９６の例には、ＰＤＳＣＨ  ＨＡＲＱ−ＡＣＫアソシエーション、ＰＵＳＣＨ  ＨＡＲＱ−ＡＣＫアソシエーション、およびＰＵＳＣＨスケジューリング・アソシエーションが含まれる。ＰＤＳＣＨ  ＨＡＲＱ−ＡＣＫアソシエーションは、ｅＮＢ１６０が、ＰＤＳＣＨを含むＤＬサブフレームに基づきＰＤＳＣＨ  ＨＡＲＱ−ＡＣＫをその中で受信できる、ＵＬサブフレームを示すことができる。ＰＵＳＣＨスケジューリング・アソシエーションは、ｅＮＢ１６０が、ＰＵＳＣＨをスケジュールするためのＰＤＳＣＨを含むＤＬサブフレームに基づき、ＵＬ情報（ＰＵＳＣＨ中の）をその中で受信できる、ＵＬサブフレームを示すことができる。ＰＵＳＣＨ  ＨＡＲＱ−ＡＣＫアソシエーションは、ｅＮＢ１６０が、ＰＵＳＣＨを含むＵＬサブフレーム（例えば、その中でＰＵＳＣＨが送信される）に基づき、ＰＵＳＣＨ  ＨＡＲＱ−ＡＣＫをその中で送信できる、ＤＬサブフレームを示すことができる。いくつかのケースにおいて、ｅＮＢ１６０はグループ・アソシエーション・マッピングを用いることが可能である。グループ・アソシエーション・マッピングでは、一方向の２つ以上のサブフレームを他方向の単一のサブフレームと関連付けることが可能である。例えば、２つの異なったＤＬサブフレームを、単一のＵＬサブフレームと関連付けることが可能である。これに加えまたはこれに換えて、２つの異なったＵＬサブフレームを、単一のＤＬサブフレームと関連付けることもできる。さらなる詳細を後記で示す。
【００８６】
いくつかの実装において、ｅＮＢ１６０は、一つ以上のアソシエーション１９６を延長する一つ以上のオフセットを送信することができる。さらなる詳細を後記で示す。
【００８７】
いくつかのケースにおいて、ｅＮＢ１６０は、無線通信デバイス１０２に対し、ＤＬサブフレーム・セット中のＤＬサブフレームの全ては含まれていない、特定のＤＬサブフレームまたはサブフレーム・セットを割り当てることができる。これは、前述したインジケータによって示すか、あるいは、ｅＮＢ１６０によって別途に信号伝達することが可能である。
【００８８】
ｅＮＢオペレーションズ・モジュール１８２は、一つ以上のレシーバ１７８に情報１９０を提供することができる。例えば、ｅＮＢオペレーションズ・モジュール１８２は、半二重フレーム構造体に基づく送信を受信するときと、しないときとを、レシーバ（群）１７８に連絡することが可能である。
【００８９】
ｅＮＢオペレーションズ・モジュール１８２は、ディモジュレータ１７２に情報１８８を提供することができる。例えば、ｅＮＢオペレーションズ・モジュール１８２は、一つ以上の無線通信デバイス１０２からの送信に対し予期される変調パターンを、ディモジュレータ１７２に連絡することが可能である。
【００９０】
ｅＮＢオペレーションズ・モジュール１８２は、デコーダ１６６に情報１８６を提供することができる。例えば、ｅＮＢオペレーションズ・モジュール１８２は、一つ以上の無線通信デバイス１０２からの送信に対し予期される符号化を、デコーダ１６６に連絡することが可能である。
【００９１】
ｅＮＢオペレーションズ・モジュール１８２は、エンコーダ１０９に情報１０１を提供することができる。この情報１０１は、符号化対象のデータおよび／または符号化に対する命令を含むことが可能である。例えば、ｅＮＢオペレーションズ・モジュール１８２は、エンコーダ１０９に対し、送信データ・バッファ１０５中に格納された送信データ、および／または制御情報１０１を符号化するよう命令することができる。
【００９２】
エンコーダ１０９は、送信データ・バッファ１０５によって提供される送信データ、および／またはｅＮＢオペレーションズ・モジュール１８２によって提供される他の情報１０１を符号化することが可能である。例えば、送信データおよび／または他の情報１０１を符号化するには、誤り検出および／または訂正符号化、スペースへのデータのマッピング、送信のための時間および／または周波数リソース、多重化などが必要となり得る。エンコーダ１０９は、符号化されたデータ１１１をモジュレータ１１３に送ればよい。送信データは、無線通信デバイス１０２に中継されることになるネットワーク・データを含むことができる。
【００９３】
ｅＮＢオペレーションズ・モジュール１８２は、モジュレータ１１３に情報１０３を提供することができる。この情報１０３は、モジュレータ１１３に対する命令を含むことができる。例えば、ｅＮＢオペレーションズ・モジュール１８２は、一つ以上の無線通信デバイス１０２への送信に用いる予定の変調の型（例えば、配置マッピング）を、モジュレータ１１３に連絡することが可能である。モジュレータ１１３は、符号化されたデータ１１１を変調し、一つ以上の変調信号１１５を一つ以上のトランスミッタ１１７に送ることができる。
【００９４】
ｅＮＢオペレーションズ・モジュール１８２は、一つ以上のトランスミッタ１１７に情報１９２を提供することができる。この情報１９２は、一つ以上のトランスミッタ１１７に対する命令を含むことができる。例えば、ｅＮＢオペレーションズ・モジュール１８２は、一つ以上のトランスミッタ１１７に対し、何時一つ以上の無線通信デバイス１０２に信号を送信するか（または何時しないか）を命令することができる。いくつかの構成において、この送信は、決められた半二重フレーム構造体に基づくものとすることができる。一つ以上のトランスミッタ１１７は、変調信号（群）１１５をアップコンバートし、一つ以上の無線通信デバイス１０２に送信することができる。
【００９５】
当然のことながら、ＤＬサブフレームは、ｅＮＢ１６０から一つ以上の無線通信デバイス１０２に送信でき、ＵＬサブフレームは、一つ以上の無線通信デバイス１０２からｅＮＢ１６０に送信することができる。
【００９６】
なお、一つ以上のｅＮＢ１６０および一つ以上の無線通信デバイス１０２に含まれるエレメントまたはその部分の一つ以上をハードウェア中に実装することが可能である。例えば、これらエレメントまたはエレメントの部分の一つ以上を、チップ、電気回路、またはハードウェア・コンポーネントなどとして実装することができる。また、本明細書で説明する機能または方法の一つ以上をハードウェアに実装および／またはハードウェアを用いて実行することが可能であることに留意する。例えば、本明細書で説明する方法の一つ以上を、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）、または集積回路などを使って実装および／または実現することができる。
【００９７】
図２は、無線通信デバイス１０２において半二重通信を可能する方法２００の構成を示すフロー図である。無線通信デバイス１０２がインジケータを受信する（ステップ２０２）ことができる。
【００９８】
無線通信デバイス１０２は、インジケータに基づき、規則的なＵＬとＤＬとの切替えパターンを有する半二重フレーム構造体を決める（ステップ２０４）ことが可能である。該半二重フレーム構造体は、複数の連続するサブフレームを有する少なくとも一つのＵＬサブフレーム・グループ、および複数の連続するＤＬサブフレームを有する少なくとも一つのＤＬサブフレーム・グループを含む。
【００９９】
無線通信デバイス１０２は、少なくとも一つのＤＬサブフレーム中のＤＬ情報を受信する（ステップ２０６）ことができる。例えば、無線通信デバイス１０２は、ｅＮＢ１６０から送信されたＤＬサブフレーム中のＤＬ情報を受信する（ステップ２０６）ことが可能である。
【０１００】
無線通信デバイス１０２は、少なくとも一つのＵＬサブフレーム中のＵＬ情報を送信する（ステップ２０８）ことができる。例えば、無線通信デバイス１０２は、ＵＬサブフレーム中のＵＬ情報をｅＮＢ１６０に送信する（ステップ２０８）ことが可能である。
【０１０１】
いくつかの実装において、方法２００は、前述および／または後述の一つ以上のアプローチによって実施することができる。例えば、方法２００は、前述および／または後述のさらなるステップ、プロシージャ、または機能を含むことが可能である。これに加えまたはこれに換えて、記述の方法２００の一つ以上のステップを、前述および／または後述の一つ以上のアプローチに関連させて説明する詳細に従って、実行することができる。
【０１０２】
図３は、ｅＮＢ１６０において半二重通信を可能にする方法３００の構成を示すフロー図である。ｅＮＢ１６０は、規則的なＵＬとＤＬとの切替えパターンを有する半二重フレーム構造体を示すインジケータを決める（ステップ３０２）ことができる。該半二重フレーム構造体は、複数の連続するサブフレームを有する少なくとも一つのＵＬサブフレーム・グループと、複数の連続するＤＬサブフレームを有する少なくとも一つのＤＬサブフレーム・グループとを含む。
【０１０３】
ｅＮＢ１６０は、該インジケータを送信する（ステップ３０４）ことができる。例えば、ｅＮＢ１６０は、該インジケータを、ＲＲＣ信号伝達、一斉通信信号、および同期信号の少なくとも一つを介して送信することが可能である。
【０１０４】
ｅＮＢ１６０は、少なくとも一つのＵＬサブフレーム中のＵＬ情報を受信する（ステップ３０６）ことができる。例えば、ｅＮＢ１６０は、無線通信デバイス１０２から、ＵＬサブフレーム中のＵＬ情報を受信する（ステップ３０６）ことが可能である。
【０１０５】
ｅＮＢ１６０は、少なくとも一つのＤＬサブフレーム中のＤＬ情報を送信する（ステップ３０８）ことができる。例えば、ｅＮＢ１６０は、無線通信デバイス１０２に、ＤＬサブフレーム中のＤＬ情報を送信する（ステップ３０８）ことが可能である。
【０１０６】
いくつかの実装において、方法３００は、前述および／または後述の一つ以上のアプローチによって実施することができる。例えば、方法３００は、前述および／または後述のさらなるステップ、プロシージャ、または機能を含むことが可能である。これに加えまたはこれに換えて、記述の方法３００の一つ以上のステップを、前述および／または後述の一つ以上のアプローチに関連させて説明する詳細に従って、実行することができる。
【０１０７】
図４は、ＵＬおよびＤＬのアソシエーション・タイミングの例４２９を示す図である。
具体的には、図４は、対応するサブフレーム番号４２５を有するサブフレームＡ４２３ａおよびサブフレームＢ４２３ｂを示す。また、ダウンリンク送信Ａ４２７ａ、アップリンク送信Ｂ４２７ｂ、およびダウンリンク送信Ｃ４２７ｃも示されている。
【０１０８】
ＦＤＤ−ＬＴＥにおける半二重オペレーションは、３ＧＰＰリリース８、９、および１０仕様中でサポートされている。図４に関連させて、３ＧＰＰリリース８、９、および１０仕様中のＦＤＤ−ＬＴＥに関するさらなる詳細を示す。このアプローチにおいて、半二重ＵＥは、送信時間間隔（ＴＴＩ：Ｔｒａｎｓｍｉｓｓｉｏｎ  Ｔｉｍｅ  Ｉｎｔｅｒｖａｌ）内においてだけ送信または受信することができる。加えて、ＵＥは、ＵＬ送信をスケジュールされているサブフレームを除き、ＤＬサブフレームを連続的にモニタすることが前提とされている。さらに、ＵＥは、ＵＬ送信の前のＤＬサブフレームの最後の部分を受信しないようになっている。セルのサイズが大きい場合は、複数のシンボルが喪失する可能性がある。ＦＤＤにおける半二重通信は、サポートはされているが必須ではなく、かかる機能をサポートするため、ｅＮＢスケジューラには相当な負荷が掛かる。
【０１０９】
既存のアプローチでは、ＵＬ送信（例えば、チャネル状態情報（ＣＳＩ：Ｃｈａｎｎｅｌ  Ｓｔａｔｅ  Ｉｎｆｏｒｍａｔｉｏｎ）レポート、ＰＤＳＣＨ送信のＨＡＲＱ−ＡＣＫフィードバック、スケジュールされたＰＵＳＣＨ送信など）は、より高い階層の構成に基づいていることがある。ｅＮＢスケジューラは、半二重ＵＥのＵＬタイミングを知り、半二重ＵＥのＵＬ送信とＤＬ送信またはスケジューリングとの間に不一致がないことを確実にする必要がある。これは、ｅＮＢスケジューラの複雑性を相当に増大し得る。また、こういった制限は全二重オペレーションには存在しない。さらに、送信方向が、特に、ＤＬからＵＬに変わるとき、半二重ＵＥは切替え時間を必要とする。しかして、スケジューリングに対し、保護時間、シンボル省略、またはさらなる制限事項を規定する必要があり得る。
【０１１０】
図４に関連させて、既存のアプローチによるＦＤＤ−ＬＴＥのＵＬおよびＤＬのアソシエーション・タイミングを説明する。このアプローチにおいて、アソシエーション・タイミングは、常に４ミリ秒（ｍｓ）のギャップを有する（例えば、４つのサブフレーム４２３）。Ａ４２９ａの例において、ダウンリンク送信Ａ４２７ａは、サブフレーム（ｎ−４）中のＰＤＳＣＨ送信であり、該ＰＤＳＣＨに対する対応ＨＡＲＱ−ＡＣＫは、アップリンク送信Ｂ４２７ｂとしてサブフレームｎ中でレポートされる。Ｂ４２９ｂの例において、ダウンリンク送信Ａ４２７ａは、ＰＵＳＣＨ送信をスケジュールするサブフレーム（ｎ−４）中のＰＤＣＣＨ（例えば、ＵＬグラント）である。さらに、アップリンク送信Ｂ４２７ｂは、サブフレームｎ上のＰＵＳＣＨ送信であり、ダウンリンク送信Ｃ４２７ｃは、サブフレーム（ｎ＋４）上で搬送される、該ＰＵＳＣＨに対するＨＡＲＱ−ＡＣＫである。
【０１１１】
図５は、既存のアプローチにおける問題を示す図である。例えば、図５は、サブフレームに対するＦＤＤ−ＬＴＥにおける半二重オペレーションからの影響を示す。具体的には、図５は、対応するサブフレーム番号５２５を有するサブフレームＡ５２３ａおよびサブフレームＢ５２３ｂを示す。また、ダウンリンク送信Ａ５２７ａ、アップリンク送信Ｂ５２７ｂ、およびダウンリンク送信Ｃ５２７ｃも示されている。
【０１１２】
３ＧＰＰリリース８、９、および１０中の既存の半二重サポートに対する改良なしでは、サブフレームの有用性は、半二重オペレーションにおいて悪影響を受け得る。この影響は、ＤＬからＵＬへの切替えに保護期間が必要であるため、ＵＬ送信への先行タイミングを適用することから来る。この影響を図５に関連させて説明する。
【０１１３】
例えば、ダウンリンク送信Ａ５２７ａが、ＵＬ上のＰＵＳＣＨ送信をスケジュールする、サブフレーム（ｎ−４）中のＰＤＣＣＨであると仮定する。したがって、アップリンク送信Ｂ５２７ｂは、サブフレームｎ上で送信されるＰＵＳＣＨであり、ダウンリンク送信Ｃ５２７ｃは、サブフレーム（ｎ＋４）上で搬送される、該ＰＵＳＣＨのＨＡＲＱ−ＡＣＫである。一部のサブフレームは、半二重構造体に起因して無効化される（５３３）。この例では、サブフレームｎ中のＤＬ送信と、サブフレーム（ｎ−４）および（ｎ＋４）中のＵＬ送信とが無効化される。
【０１１４】
一部のサブフレームは、ＵＬ上のＤＬのＰＤＳＣＨ送信およびＰＤＳＣＨ  ＨＡＲＱ−ＡＣＫに対し、回避されるかまたは制限される（５３５）。この例を続けると、ＤＬからＵＬへの切替えを可能にし、サブフレームｎ中のＵＬ送信への先行タイミングを適用するため、ＤＬサブフレーム（ｎ−１）上のＰＤＳＣＨを回避することが可能で、サブフレーム（ｎ＋３）上のＵＬ  ＨＡＲＱ−ＡＣＫレポートは必要がなくなる。ＤＬサブフレーム（ｎ−１）上のＰＤＳＣＨが、サブフレームｎでＵＬ送信が予定されているＭＴＣデバイスに対してスケジュールされる場合、ＤＬサブフレーム（ｎ−１）の最後の部分を省略することによって保護期間を形成することが可能で、しかして、ＰＤＳＣＨに対するシンボル割り当ての低減がもたらされる。しかしながら、それでも、ＤＬサブフレーム（ｎ−１）が、サブフレーム（ｎ＋３）中の、ＵＬ送信に対するＰＵＳＣＨグラントをスケジュールすることができる。一部のサブフレームは、ＵＬ送信およびＤＬ  ＰＵＳＣＨスケジューリングに対して回避または制限される（５３１）。この例を続けると、サブフレーム（ｎ−３）および（ｎ＋５）上のＵＬ送信（例えば、ＰＵＣＣＨおよび／またはＰＵＳＣＨ）は、サブフレーム（ｎ−４）および（ｎ＋４）中のＤＬ受信のため、回避する必要がある。しかして、サブフレーム（ｎ＋１）上にＵＬグラントをスケジュールすべきではない。
【０１１５】
したがって、半二重オペレーションは、ＵＥのＤＬおよびＵＬ送信を有するサブフレームに影響を与えるだけでなく、スケジュールされたＵＬおよびＤＬサブフレームの直前および直後にあるサブフレームの使用を制限し得る。ＭＴＣデバイスの半二重ＵＬおよびＤＬサブフレームがランダムに構成されている場合、これはスケジューリングを極めて複雑にする。
【０１１６】
図６は、本明細書に開示のシステムおよび方法による、第一アプローチの一例を示す図である。具体的には、図６は、サブフレームＡ６２３ａおよびサブフレームＢ６２３ｂを示す。さらに具体的には、図６は、４つの連続するサブフレーム６２３を含むＤＬサブフレーム・グループＡ６３７ａ、４つの連続するサブフレーム６２３を含むＵＬサブフレーム・グループＡ６３９ａ、４つの連続するサブフレーム６２３を含むＤＬサブフレーム・グループＢ６３７ｂ、および４つの連続するサブフレーム６２３を含むＵＬサブフレーム・グループＢ６３９ｂを示す。ＰＤＳＣＨ  ＨＡＲＱ−ＡＣＫアソシエーション６４７（例えばタイミング）および／またはＰＵＳＣＨスケジューリング・アソシエーション６４３（例えばタイミング）の一例が図６に示されている。さらに、図６には、ＰＵＳＣＨ  ＨＡＲＱ−ＡＣＫアソシエーション６４５（例えばタイミング）の一例も示されている。
【０１１７】
第一アプローチにおいて、規則的なＵＬとＤＬとの切替えパターンを、標準的な４ｍｓタイミングを用いて実装することができる。図６に示されたこの第一アプローチでは、ＤＬサブフレームＡ６２３ａとＵＬサブフレームＢ６２３ｂとは、４ｍｓのＤＬサブフレーム・グループ６３７ａ−ｂに統合することが可能である。しかして、無線通信デバイス１０２（例えばＭＴＣデバイス）は、８ｍｓの周期性を有する規則的な切替えパターンで（ＤＬとＵＬとの間で）方向を切り替えることができる。これは、ＵＬスケジューリングに基づくランダムな切り替えの代わりに、実施される。このアプローチは、３ＧＰＰリリース８、９、および１０に規定されている８ｍｓＲＴＴを維持する。これはスケジューリングを単純化し、ＤＬに対する連続的なモニタリングを低減する。さらに、この第一アプローチは、標準的な４ｍｓＵＬ−ＤＬアソシエーション・タイミングを維持する。
【０１１８】
ＦＤＤネットワーク中の半二重オペレーションで、保護期間は、無線通信デバイス１０２（例えば、ＵＥ、ＭＴＣデバイスなど）によって、同じ無線通信デバイス１０２から送信されるＵＬサブフレームの直前のＤＬサブフレーム最後の部分を受信しないことにより生成することができる。しかして、この第一アプローチでは、一つだけの制限が用いられる。例えば、無線通信デバイス１０２（例えばＭＴＣデバイス）に対し次のサブフレームでＵＬ送信がスケジュールされている場合、ＤＬサブフレーム・グループ６３７ａ−ｂ中の最後のＤＬサブフレームには、無線通信デバイス１０２（例えばＭＴＣデバイス）に対しスケジュールされたＰＤＳＣＨがないようにできる（６４１）。しかして、ＵＬサブフレーム・グループ６３９ａ−ｂ中の最後のＵＬサブフレーム中のＵＬ  ＨＡＲＱ−ＡＣＫレポートも不要にできる。あるいは、無線通信デバイス１０２（例えばＭＴＣデバイス）に対し次のサブフレームでＵＬ送信がスケジュールされている場合、ＤＬサブフレーム・グループ６３７ａ−ｂ中の最後のＤＬサブフレーム中の、無線通信デバイス１０２（例えばＭＴＣデバイス）に対するＰＤＳＣＨのために割り当てられるＯＦＤＭシンボルの数を減らして、該ＰＤＳＣＨをスケジュールすることも可能である（６４１）。保護期間および所与のＭＴＣデバイスのＰＤＳＣＨに対し割り当て可能なＯＦＤＭシンボルの数は、セルの展開（例えば、セルのサイズおよびＭＴＣデバイスとｅＮＢ１６０との間の距離）に基づき（例えば、ｅＮＢ１６０が）決めることができる。それでも、ＤＬサブフレーム・グループ６３７ａ−ｂ中の最後のＤＬサブフレームは、次のＵＬサブフレーム・グループ６３９ａ−ｂの最後のＵＬサブフレーム中に、ＰＵＳＣＨ送信をスケジュールすることができることに留意する。ＤＬサブフレーム・グループ６３７ａ−ｂ中の最後のサブフレームは、しかしてバーチャルな切替えサブフレームといってもよい。しかして、図６は、スケジューリング制限を伴う規則的なＵＬとＤＬとの切替えパターンを有する半二重フレーム構造体を示す。
【０１１９】
切替えパターンは、より高い階層の信号伝達によって、無線通信デバイス１０２または無線通信デバイス１０２のグループ（例えば、ＭＴＣデバイスまたはＭＴＣデバイスのグループ）に提供される。切替えパターンは、無線通信デバイス（例えばＭＴＣデバイス）のグループに対し同期させることもでき、または各無線通信デバイス１０２（例えばＭＴＣデバイス）で独立して維持することも可能である。切替えパターンが独立して維持される後者の場合、例えば、ある無線通信デバイス１０２（例えばＭＴＣデバイス）を対象とするＰＤＣＣＨが受信されたとき、該無線通信デバイス１０２（例えばＭＴＣデバイス）は、切替えパターンに関しそのデバイス自体のタイミングを有することができる。
【０１２０】
最後のＤＬサブフレームが無線通信デバイス１０２（例えばＭＴＣデバイス）に対するＰＤＳＣＨの送信に使われていない場合、第一アプローチ中の切替えパターンを用いて（例えば、図６に関連させて示すように）、無線通信デバイス１０２（例えばＭＴＣデバイス）に対するＰＤＳＣＨ  ＨＡＲＱの最大数は３に低減される。さらに、無線通信デバイス１０２（例えばＭＴＣデバイス）に対して低減された数のＯＦＤＭシンボルが用いられて、最後のＤＬサブフレームがＰＤＳＣＨ送信のために使われている場合、無線通信デバイス１０２（例えばＭＴＣデバイス）に対するＰＤＳＣＨ  ＨＡＲＱプロセスの最大数を４に低減することが可能である。さらに、ＰＵＳＣＨ  ＨＡＲＱプロセスの最大数も４に低減することができる。ＭＴＣデバイスはより低いデータ速度を有するので、さらなる制約を適用することが可能である。例えば、各無線通信デバイス１０２（例えばＭＴＣデバイス）は、ＤＬサブフレーム・グループ６３７ａ−ｂ中のただ一つのサブフレーム６２３を、しかして、対応するＵＬサブフレーム・グループ６３９ａ−ｂ中のただ一つのサブフレームを使用することができる。この場合、ＤＬサブフレーム・グループ中の最後のサブフレームに関する制限は適用できない。というのは、同一の無線通信デバイス１０２（例えばＭＴＣデバイス）に対し、ＵＬサブフレームがＤＬサブフレームの直後にないからである。上記が構成されたならば、その無線通信デバイス１０２（例えばＭＴＣデバイス）は、ＤＬサブフレーム・グループ６３７ａ−ｂ中の他のＤＬサブフレーム６２３ｂのモニタリングを停止することができる。
【０１２１】
このアプローチの一つの利点は、ＦＤＤにおけるのと同じアソシエーション・タイミングを使えるので、下位互換性があることである。ＦＤＤ−ＬＴＥ中の既知の半二重において、このアソシエーション・タイミングをｅＮＢ１６０のスケジューリングによって実現することができよう。但し、既存のアプローチ中のＵＥは、切替えパターンを知らず、ＵＬ送信をスケジュールされていない一切のサブフレーム中のダウンリンク送信に対するモニタを行う必要がある。したがって、無線通信デバイス１０２（例えばＭＴＣデバイス）の半二重オペレーションに対し、第一アプローチによる切替えパターンおよびルールを規定することができる。
【０１２２】
図７は、本明細書に開示のシステムおよび方法による、第二アプローチの一例を示す図である。例えば、図７は、延長されたアソシエーション・タイミングを有する規則的なＵＬとＤＬとの切替えパターンを有する半二重フレーム構造体の一例を示す。具体的には、図７は、サブフレームＡ７２３ａおよびサブフレームＢ７２３ｂを示す。さらに具体的には、図７は、いくつか（例えば、４＋ｋ）の連続するサブフレーム７２３を含むＤＬサブフレーム・グループＡ７３７ａ、いくつか（例えば、４＋ｋ）の連続するサブフレーム７２３を含むＵＬサブフレーム・グループＡ７３９ａ、いくつか（例えば、４＋ｋ）の連続するサブフレーム７２３を含むＤＬサブフレーム・グループＢ７３７ｂ、およびいくつか（例えば、４＋ｋ）の連続するサブフレーム７２３を含むＵＬサブフレーム・グループＢ７３９ｂを示す。ＰＤＳＣＨ  ＨＡＲＱ−ＡＣＫアソシエーション７４７（例えばタイミング）および／またはＰＵＳＣＨスケジューリング・アソシエーション７４３（例えばタイミング）の一例が図７に示されている。さらに、図７には、ＰＵＳＣＨ  ＨＡＲＱ−ＡＣＫアソシエーション７４５（例えばタイミング）の一例も示されている。
【０１２３】
この第二アプローチでは、アソシエーション・タイミングが延長され、より大きなＤＬサブフレーム・グループおよびより大きなＵＬサブフレーム・グループを形成することができる。ＭＴＣトラフィックは遅延に過敏でないので、アソシエーション・タイミングを延長することができる。オフセットを、ＰＤＳＣＨ  ＨＡＲＱ−ＡＣＫアソシエーション（例えば、ＰＤＳＣＨ  ＨＡＲＱ−ＡＣＫアソシエーション７４７）、ＰＵＳＣＨスケジューリング・アソシエーション（例えば、ＰＵＳＣＨスケジューリング・アソシエーション７４３）およびＰＵＳＣＨ  ＨＡＲＱ−ＡＣＫアソシエーション（例えば、ＰＵＳＣＨ  ＨＡＲＱ−ＡＣＫアソシエーション７４５）を含む、一つ以上（例えば全部）のアソシエーション・タイミングに適用することができる。例えば、ｋ個のサブフレームのオフセットが使われると仮定すれば、図７に示されるように、ＤＬサブフレーム・グループ７３７ａ−ｂ中の（４＋ｋ）のサブフレーム７２３と、ＵＬサブフレーム・グループ７３９ａ−ｂ中の（４＋ｋ）のサブフレーム７２３とを用いて、２×（４＋ｋ）の周期性およびＲＴＴを有するように、ＭＴＣのＵＬとＤＬとの切替えパターンを延長することが可能である。
【０１２４】
このオフセットは、より高い階層の信号伝達（例えば、ＲＲＣ信号伝達）を介して（ｅＮＢ１６０によって）信号伝達することができる。これに加えまたはこれに換えて、オフセットを同期および／または一斉通信信号で信号伝達することも可能である。しかして、第二アプローチは、同様な利点と制約とを有する第一アプローチの延長ともいえる。図６に関連させて同様に説明したように、例えば、無線通信デバイス１０２（例えばＭＴＣデバイス）に対し次のサブフレームでＵＬ送信がスケジュールされている場合、ＤＬサブフレーム・グループ７３７ａ−ｂ中の最後のＤＬサブフレームには、無線通信デバイス１０２（例えばＭＴＣデバイス）に対しスケジュールされたＰＤＳＣＨがないようにできる（７４１）。あるいは、無線通信デバイス１０２（例えばＭＴＣデバイス）に対し次のサブフレームでＵＬ送信がスケジュールされている場合、ＤＬサブフレーム・グループ７３７ａ−ｂ中の最後のＤＬサブフレーム中の、無線通信デバイス１０２（例えばＭＴＣデバイス）に対するＰＤＳＣＨのために割り当てられるＯＦＤＭシンボルの数を減らして、該ＰＤＳＣＨをスケジュールすることも可能である（７４１）。保護期間および所与の無線通信デバイス１０２（例えばＭＴＣデバイス）のＰＤＳＣＨに対し割り当て可能なＯＦＤＭシンボルの数は、セルの展開（例えば、セルのサイズおよび無線通信デバイス１０２（例えばＭＴＣデバイス）とｅＮＢ１６０との間の距離）に基づき（例えば、ｅＮＢ１６０によって）決めることができる。
【０１２５】
無線通信デバイス１０２（例えばＭＴＣデバイス）に対し延長されたアソシエーション・タイミングを用いる場合、その無線通信デバイス１０２（例えばＭＴＣデバイス）は、異なったＨＡＲＱプロセスおよびスケジューリング・タイミングのため、標準的ＵＥから分離して管理することが必要となり得る。無線通信デバイス１０２（例えばＭＴＣデバイス）が異なったグループ中で管理される場合、これらデバイスは、別個の（例えば独立した）タイミングおよびＨＡＲＱ−ＡＣＫプロセスを有する新規のキャリヤとして取り扱うことができる。さらに、無線通信デバイス１０２（例えばＭＴＣデバイス）は、既存の搬送波のサブバンドで動作することができ、しかして、これは、３ＧＰＰリリース８、９、および１０仕様に規定されたものにはまらないキャリヤ型である。このキャリヤ型は、独立的に運用し、それ自体のタイミングおよびＨＡＲＱ−ＡＣＫプロセスを持たせることができる。
【０１２６】
最後のＤＬサブフレームが無線通信デバイス１０２（例えばＭＴＣデバイス）に対するＰＤＳＣＨの送信に使われていない場合、図７に関連させて説明した切替えパターンを用いて、無線通信デバイス１０２（例えばＭＴＣデバイス）に対するＰＤＳＣＨ  ＨＡＲＱプロセスの最大数を（４＋ｋ−１）にすることができる。さらに、無線通信デバイス１０２（例えばＭＴＣデバイス）に対して低減された数のＯＦＤＭシンボルが用いられて、最後のＤＬサブフレームがＰＤＳＣＨ送信のために使われている場合、無線通信デバイス（例えばＭＴＣデバイス）に対するＰＤＳＣＨ  ＨＡＲＱプロセスの最大数を（４＋ｋ）にすることが可能である。さらに、ＰＵＳＣＨ  ＨＡＲＱプロセスの最大数も（４＋ｋ）に低減することができる。さらなる制約を適用することができる。例えば、各無線通信デバイス１０２（例えばＭＴＣデバイス）は、ＤＬサブフレーム・グループ７３７ａ−ｂ中のただ一つのサブフレームを、しかして、対応するＵＬサブフレーム・グループ７３９ａ−ｂ中の一つのサブフレームを使うことが可能である。この場合、ＤＬサブフレーム・グループ７３７ａ−ｂ中の最後のサブフレームに関する制限は適用されない。というのは、同一の無線通信デバイス１０２（例えばＭＴＣデバイス）に対し、ＵＬサブフレーム７２３ｂがＤＬサブフレーム７２３ａの直後にないからである。上記が構成されたならば、その無線通信デバイス１０２（例えばＭＴＣデバイス）は、ＤＬサブフレーム・グループ７３７ａ−ｂ中の他のＤＬサブフレーム７２３ａのモニタリングを停止することができる。
【０１２７】
図８は、本明細書に開示のシステムおよび方法による、第三アプローチの一例を示す図である。例えば、図８は、オフセットを使って形成された保護期間８４９の一例を示す。具体的には、図８は、サブフレームＡ８２３ａおよびサブフレームＢ８２３ｂを示す。さらに具体的には、図８は、いくつか（例えば６）の連続するサブフレーム８２３を含む（例えば、ＧＰのための２つのサブフレームを含む）ＤＬサブフレーム・グループＡ８３７ａ、いくつか（例えば４）の連続するサブフレーム８２３を含むＵＬサブフレーム・グループ８３９、およびいくつか（例えば６）の連続するサブフレーム８２３を含む（例えば、ＧＰのための２つのサブフレームを含む）ＤＬサブフレーム・グループＢ８３７ｂを示す。ＰＤＳＣＨ  ＨＡＲＱ−ＡＣＫアソシエーション８４７（例えばタイミング）および／またはＰＵＳＣＨスケジューリング・アソシエーション８４３（例えばタイミング）の一例が図８に示されている。さらに、図８には、ＰＵＳＣＨ  ＨＡＲＱ−ＡＣＫアソシエーション８４５（例えばタイミング）の一例も示されている。
【０１２８】
ある第三アプローチにおいて、保護期間を形成するために相異なるアソシエーション・タイミングを適用することができる。例えば、あるＭＴＣデバイスが標準のＵＥほど強力でないことがある。したがって、該ＭＴＣデバイスは、ＤＬ受信を処理するために比較的長い時間を必要とし得る。しかしながら、ｅＮＢ１６０が、ＲＴＴを低減するために最小限の遅延もなくフィードバックを送信することがある。しかして、第三アプローチにおいて、相異なるアソシエーション・タイミングに対し相異なるオフセットを適用することができる。
【０１２９】
一つのケースにおいて、ＰＵＳＣＨ  ＨＡＲＱ−ＡＣＫアソシエーション８４５（例えばフィードバック・タイミング）に対してはオフセットを導入せずに、ＰＤＳＣＨ  ＨＡＲＱ−ＡＣＫアソシエーション８４７（例えばタイミング）とＰＵＳＣＨスケジューリング・アソシエーション８４３（例えばタイミング）との両方に対して同じオフセットを適用することが可能である。例えば、オフセットをｉとすると、ＤＬおよびＵＬサブフレーム・グループ化を用い、ＤＬサブフレーム・グループ８３７ａとＵＬサブフレーム・グループ８３９との間にｉの保護期間８４９を形成することができる。この保護期間８４９中で、無線通信デバイス１０２（例えばＭＴＣデバイス）は、いかなるＰＤＳＣＨまたはＰＵＳＣＨスケジューリングも期待することはできない。
【０１３０】
別のケースにおいて、ＰＵＳＣＨ  ＨＡＲＱ−ＡＣＫアソシエーション８４５（例えばフィードバック・タイミング）に対してｋのオフセットを導入し、ＰＤＳＣＨ  ＨＡＲＱ−ＡＣＫアソシエーション８４７（例えばタイミング）およびＰＵＳＣＨスケジューリング・アソシエーション８４３（例えばタイミング）に対して（ｋ＋ｉ）のオフセットを適用することが可能である。ＤＬおよびＵＬサブフレーム・グループ化を用い、ＤＬサブフレーム・グループ８３７ａとＵＬサブフレーム・グループ８３９との間にｉの保護期間８４９を形成することができる。この保護期間８４９中で、無線通信デバイス１０２（例えばＭＴＣデバイス）は、いかなるＰＤＳＣＨまたはＰＵＳＣＨスケジューリングも期待することはできない。
【０１３１】
上記のように、図８は、標準の（例えば、０のオフセットまたはオフセットなしの）ＰＵＳＣＨ  ＨＡＲＱ−ＡＣＫフィードバック・タイミングと、ＰＤＳＣＨ  ＨＡＲＱ−ＡＣＫアソシエーション８４７（例えばタイミング）およびＰＵＳＣＨスケジューリング・アソシエーション８４３（例えばタイミング）の両方に２のオフセットとを用いた、第三アプローチの一例を示している。しかして、ＤＬからＵＬへの切り替えに対し、２つのサブフレームの保護期間８４９を形成することができる。
【０１３２】
図９は、本明細書に開示のシステムおよび方法による、第四アプローチの一例を示す図である。例えば、図９は、グループ・アソシエーション・マッピングの一例を示す。具体的には、図９は、サブフレームＡ９２３ａおよびサブフレームＢ９２３ｂを示す。さらに具体的には、図９は、いくつか（例えば８）の連続するサブフレーム９２３を含むＤＬサブフレーム・グループＡ９３７ａ、いくつか（例えば４）の連続するサブフレーム９２３を含むＵＬサブフレーム・グループ９３９、およびいくつか（例えば８）の連続するサブフレーム９２３を含むＤＬサブフレーム・グループＢ９３７ｂを示す。一つ以上のＰＤＳＣＨ  ＨＡＲＱ−ＡＣＫアソシエーション９４７（例えばタイミング）および／または一つ以上のＰＵＳＣＨスケジューリング・アソシエーション９４３（例えばタイミング）の一例が図９に示されている。さらに、図９には、ＰＵＳＣＨ  ＨＡＲＱ−ＡＣＫアソシエーション９４５（例えばタイミング）の一例も示されている。
【０１３３】
第四アプローチにおいて、バランスしていないＵＬとＤＬとの通信に対し、（無線通信デバイス１０２および／またはｅＮＢ１６０によって）グループ・アソシエーション・マッピングを適用することが可能である。前述のアプローチでは、ＤＬとＵＬとに対して同数のサブフレームが構成されていることを前提とすることができる。また、これらのアプローチでは、ＤＬおよびＵＬのアソシエーションの各型に対し同じタイミングおよびオフセットが使われていることを前提にすることも、しないことも可能である。無線通信デバイス１０２（例えばＭＴＣデバイス）に対し、相異なるサブフレーム９２３に相異なるオフセットを用いて、ＵＬおよびＤＬ切替えパターンを適用することができる。さらに、グループ・リンケージを使うことも可能である（例えば、一つ以上のＤＬサブフレーム９２３ａを一つのＵＬサブフレーム９２３ｂにマップすることが可能で、その逆も可能である）。一定なリンケージを維持するために、ＰＵＳＣＨ  ＨＡＲＱ−ＡＣＫおよびＰＵＳＣＨスケジューリング・サブフレームを、ＵＬ−ＤＬパターン中の同じ位置におくことができる。図９は、可変アソシエーション・タイミングを用い、２つのＤＬサブフレーム（例えば、ＤＬサブフレーム・グループＡ９３７ａ中の第三および第四サブフレーム９２３ａ）を一つのＵＬサブフレーム（例えば、ＵＬサブフレーム・グループ９３９中の第二サブフレーム９２３ｂ）にマップした一例を示している。さらなるおよび／または別のグループ・リンケージを実装することも可能である。
【０１３４】
第五アプローチにおいて、アソシエーション・タイミングを、無線フレーム構造体を用いて同期に適用することができる。３ＧＰＰリリース８、９、および１０仕様中のＦＤＤ−ＬＴＥのアソシエーション・タイミングでは、ＲＲＴは８ＴＴＩ（例えば、ＬＴＥシステムに対する最小限遅延）である。しかしながら、８ｍｓＲＴＴは、１０ｍｓ無線フレーム構造体には同期しない。８ｍｓの周期性パターンを用いる信号伝達を同期させるのは、それが各無線フレームの中で連続的にシフトしているので困難なことがある。したがって、無線通信デバイス１０２（例えばＭＴＣデバイス）に対するＲＴＴを（例えば１０ｍｓの）無線フレームに同期させると都合がよい。
【０１３５】
例えば、前述した第二アプローチに従って、オフセットｋ＝１を適用することができる。この場合、全てのアソシエーション・タイミングは、例えば、４ｍｓの代わりに５ｍｓになる。別の例において、図８に示されるように、ＰＤＳＣＨ  ＨＡＲＱ−ＡＣＫおよびＰＵＳＣＨスケジューリングだけに２のオフセットを適用することができる。
【０１３６】
図１０は、本明細書に開示のシステムおよび方法による、第六アプローチの一例を示す図である。例えば、図１０は、ＦＤＤ−ＬＴＥにＴＤＤ  ＵＬ−ＤＬ構成を適用する一例を示す。具体的には、図１０は、対応するサブフレーム番号１０２５を有するサブフレームＡ１０２３ａおよびサブフレームＢ１０２３ｂを示す。ＰＤＳＣＨ  ＨＡＲＱ−ＡＣＫアソシエーション１０４７（例えばタイミング）の例、ＰＤＳＣＨ  ＨＡＲＱ−ＡＣＫアソシエーションとＰＵＳＣＨスケジューリング・アソシエーション１０４９（例えば、タイミング）の例、およびＰＵＳＣＨ  ＨＡＲＱ−ＡＣＫアソシエーション１０４５（例えばタイミング）の例が図１０に示されている。
【０１３７】
第六アプローチにおいて、ＦＤＤ−ＬＴＥネットワークに対しＴＤＤ構成を適用することが可能である。ＴＤＤ−ＬＴＥは、本質的に半二重構造を用い、異なったＵＬ−ＤＬ構成を有し得る。具体的には、下記の表（１）に示すように、３ＧＰＰ仕様には７つのＵＬ−ＤＬ構成が規定されている。表（１）の「Ｄ」はＤＬサブフレームを表し、「Ｓ」は特殊サブフレームを表し、「Ｕ」はＵＬサブフレームを表す。
【０１３８】
【表１】
2015514333.tif 000003
【０１３９】
ＴＤＤ−ＬＴＥは、５ｍｓもしくは１０ｍｓの周期性を有する。したがって、これは無線フレーム構造体に同期する。しかして、ＦＤＤ−ＬＴＥにＴＤＤ構成を適用するのは、ＦＤＤ−ＬＴＥ上の半二重通信をサポートするためのもう一つのオプションである。
【０１４０】
ＴＤＤ−ＬＴＥは、ＵＬおよびＤＬに対して同じ搬送波で動作する。ＦＤＤでは、ＤＬとＵＬとは異なった搬送波上にある。但し、ＦＤＤネットワークにおいても、ＴＤＤ構成と同じアソシエーション・タイミングを無線通信デバイス１０２（例えばＭＴＣデバイス）に適用することができる。無線通信デバイス１０２（例えばＭＴＣデバイス）がＴＤＤタイミングに追従するならば、スケジューリング上の不一致は生じない。図１０は、ＦＤＤ−ＬＴＥ上に、ＴＤＤのＵＬ−ＤＬ構成１を適用する一例を示す。但し、標準的ＴＤＤ構成におけるような特殊サブフレームはないことがあるのに留意する。しかしながら、ＤＬサブフレーム・グループ中の最後のＤＬサブフレームでの制限を設けることが可能で、例えば、無線通信デバイス１０２（例えばＭＴＣデバイス）は、同じ無線通信デバイス１０２からのＵＬサブフレームの直前のＤＬサブフレームの最後の部分を受信しないことによって、保護期間を生成することができる。
【０１４１】
同じＤＬまたはＵＬサブフレームに対し、ＴＤＤ構成上のタイミングが、ＦＤＤのタイミングと異なり得る（例えばその可能性が高い）。これが問題となることがある。但し、無線通信デバイス１０２（例えばＭＴＣデバイス）が異なったグループにおいて管理されている場合は、それらデバイスを別個のタイミングおよびＨＡＲＱ−ＡＣＫプロセスを有する別個のキャリヤとして取り扱うことができる。さらに、無線通信デバイス１０２（例えばＭＴＣデバイス）は、既存の搬送波のサブバンドで動作することができ、しかして、これは、３ＧＰＰリリース８、９、および１０仕様の規定にはまらないキャリヤ型である。このキャリヤは、独立的に運用し、別個のタイミングおよびＨＡＲＱ−ＡＣＫプロセスを持たせることができる。
【０１４２】
異なった型の無線通信デバイス１０２（例えばＭＴＣデバイス）には、異なったトラフィック特性を有し得、異なったＵＬ−ＤＬ構成を必要とすることがある。同じＴＤＤ  ＵＬ−ＤＬ構成を全ての無線通信デバイス１０２（例えばＭＴＣデバイス）に適用することができる。あるいは、相異なる無線通信デバイス１０２（例えばＭＴＣデバイス）に相異なるＴＤＤ  ＵＬ−ＤＬ構成を適用することも可能である。複数のＴＤＤ  ＵＬ−ＤＬ構成が適用される場合、無線通信デバイス１０２（例えばＭＴＣデバイス）は、該デバイス自体に設定されたＴＤＤ  ＵＬ−ＤＬ構成に従うことができる。相異なる無線通信デバイス１０２（例えばＭＴＣデバイス）に、複数のＴＤＤ  ＵＬ−ＤＬ構成が適用される場合、相異なるＴＤＤ構成のＨＡＲＱ−ＡＣＫプロセスを別個に維持することが可能である。しかして、各ＴＤＤ  ＵＬ−ＤＬ構成を独立した搬送波型または新規の搬送波型と見なすことができる。
【０１４３】
無線通信デバイス１０２（例えばＭＴＣデバイス）または無線通信デバイス１０２（例えばＭＴＣデバイス）のグループに対し、一つのＴＤＤ  ＵＬ−ＤＬ構成が適用される場合、同期および一斉通信チャネルなどを通し、より高い階層の一つ以上の信号伝達（例えば、ＲＲＣ信号伝達）を介して、実際のＵＬ−ＤＬ構成をデバイスに示すことが可能である。無線通信デバイス群１０２（例えばＭＴＣデバイス群）に対し複数のＴＤＤ  ＵＬ−ＤＬ構成が用いられる場合、同期および一斉通信チャネルなどを通し、より高い階層の一つ以上の信号伝達（例えば、ＲＲＣ信号伝達）を介して、実際のＵＬ−ＤＬ構成を、デバイスに示すことができる。
【０１４４】
あるいは、相異なる型の無線通信デバイス１０２（例えばＭＴＣデバイス）に対し相異なるＴＤＤ  ＵＬ−ＤＬ構成を構成する代わりに、ｅＮＢが、無線通信デバイス１０２（例えばＭＴＣデバイス）のフレキシブルで動的なＵＬ−ＤＬ構成を可能にすることもできる。この場合、同じセル中の無線通信デバイス１０２（例えばＭＴＣデバイス）のＨＡＲＱ−ＡＣＫプロセスは、一つの搬送波、または新規の搬送波として一緒に管理することが可能である。これは、ＰＤＳＣＨとＰＵＳＣＨタイミングとに別個の基準構成を適用することによって、達成することができる。
【０１４５】
例えば、ｅＮＢ１６０は、ＰＤＳＣＨ  ＨＡＲＱ−ＡＣＫのタイミングに対し第一基準ＴＤＤ  ＵＬ−ＤＬ構成を示し（例えば信号伝達し）、ＰＵＳＣＨスケジューリングおよびＰＵＳＣＨ  ＨＡＲＱ−ＡＣＫタイミングに対し第二基準ＴＤＤ  ＵＬ−ＤＬ構成を示す（例えば信号伝達する）ことが可能である。第一基準構成におけるＵＬサブフレーム・セットを、第二基準構成におけるＵＬサブフレーム・セットのサブセットとすることができる。さらに、第二基準構成におけるＤＬサブフレーム・セットを、第一基準構成におけるＤＬサブフレーム・セットのサブセットとすることが可能である。ＰＤＳＣＨとＰＵＳＣＨとに対し別個のタイミングを用いることで、ｅＮＢ１６０は、いかなる不一致およびいかなるタイミング変化もなく、無線通信デバイス１０２（例えばＭＴＣデバイス）に対するいくつかのサブフレームにおける方向を動的に選択することができる。
【０１４６】
無線通信デバイス１０２（例えばＭＴＣデバイス）に対し、第一ＴＤＤ  ＵＬ−ＤＬ構成および第二ＴＤＤ  ＵＬ−ＤＬ構成が使われている場合、同期および一斉通信チャネルなどを通し、より高い階層の一つ以上の信号伝達（例えば、ＲＲＣ信号伝達）を介して、ｅＮＢ１６０が、該第一ＴＤＤ  ＵＬ−ＤＬ構成および第二ＴＤＤ  ＵＬ−ＤＬ構成を、無線通信デバイス１０２（例えばＭＴＣデバイス）に示すことが可能である。
【０１４７】
図１１は、本明細書に開示のシステムおよび方法による、第六アプローチの別の例を示す図である。具体的には、図１１は、対応するサブフレーム番号１１２５を有するサブフレームＡ１１２３ａおよびサブフレームＢ１１２３ｂを示す。ＰＤＳＣＨ  ＨＡＲＱ−ＡＣＫアソシエーション１１５１（例えばタイミング）、ＰＵＳＣＨスケジューリング・アソシエーション１１５３（例えばタイミング）、およびＰＵＳＣＨ  ＨＡＲＱ−ＡＣＫアソシエーション１１５５（例えばタイミング）の例が図１１に示されている。加えて、図１１には、「Ｃ」として変換可能サブフレーム１１５７が表されている。なお、図１１中の「Ｄ」はダウンリンク・サブフレームを表し、「Ｕ」はアップリンク・サブフレームを表す。
【０１４８】
一つ以上の無線通信デバイス１０２および／またはｅＮＢ１６０は、半二重オペレーションに対する一つ以上の対応アソシエーションを有する一つ以上のＴＤＤアップリンク−ダウンリンクＵＬ−ＤＬ構成０〜６（および／または他の構成）を適用することができる。言い換えれば、一つ以上のＵＬサブフレーム・グループが第一搬送波に対応し、一つ以上のＤＬサブフレーム・グループが第二搬送波に対応することができる。ｅＮＢ１６０および／または無線通信デバイス（群）１０２によって、半二重オペレーションに、対応アソシエーション（例えば、ＰＤＳＣＨ  ＨＡＲＱ−ＡＣＫアソシエーション、ＰＵＳＣＨスケジューリング・アソシエーション、および／またはＰＵＳＣＨ  ＨＡＲＱ−ＡＣＫアソシエーション）を有する一つ以上のＴＤＤ  ＵＬ−ＤＬ構成０〜６（および／または他の構成（群））を適用することができる。これは、前述した方法２００、３００の一つ以上を組み合わせて実施することが可能である。
【０１４９】
無線通信デバイス１０２および／またはｅＮＢ１６０は、一つ以上の変換可能サブフレームを含む半二重フレーム構造体を用いることができる。この変換可能サブフレーム（群）は、時分割二重（ＴＤＤ）アップリンク−ダウンリンク（ＵＬ−ＤＬ）構成のある領域に基づかせることが可能である。例えば、一つ以上の無線通信デバイス１０２およびｅＮＢ１６０は、第一ＴＤＤ  ＵＬ−ＤＬ構成に対応するＰＤＳＣＨアソシエーションを適用することができる。さらに、一つ以上の無線通信デバイス１０２およびｅＮＢ１６０は、第二ＴＤＤ  ＵＬ−ＤＬ構成に対応するＰＵＳＣＨスケジューリング・アソシエーションおよびＰＵＳＣＨ  ＨＡＲＱ−ＡＣＫアソシエーションを適用することが可能である。言い換えれば、一つ以上のＵＬサブフレーム・グループが第一搬送波に対応し、一つ以上のＤＬサブフレーム・グループが第二搬送波に対応することができる。（例えば、ｅＮＢ１６０によって無線通信デバイス１０２に示される）割り当ては、動的なサブフレーム利用を可能にし、一つ以上のサブフレーム（例えば、変換可能サブフレーム）を、ＵＬまたはＤＬとして利用することができる。変換可能サブフレームがＤＬからＵＬに変換され、且つその変換可能サブフレームが、ＤＬ送信のため割り当てられたサブフレームの直後にある場合、無線通信デバイス１０２（例えばＭＴＣデバイス）が、その同じ無線通信デバイス１０２（例えばＭＴＣデバイス）からの変換されたＵＬサブフレームの直前のＤＬサブフレームの最後の部分を受信しないことによって、保護期間を生成することが可能である。例えば、ｅＮＢ１６０および／または一つ以上の無線通信デバイス１０２は、第一ＴＤＤ  ＵＬ−ＤＬ構成と第二ＴＤＤ  ＵＬ−ＤＬ構成との間の動的領域を示しおよび／または利用することができる。例えば、ｅＮＢ１６０および／または無線通信デバイス１０２は、ＰＤＳＣＨ  ＨＡＲＱ−ＡＣＫアソシエーション（群）（例えばタイミング）に対し第一ＴＤＤ  ＵＬ−ＤＬ構成を適用し、ＰＵＳＣＨスケジューリング・アソシエーション（群）および／またはＰＵＳＣＨ  ＨＡＲＱ−ＡＣＫアソシエーション（群）（例えばタイミング）に対し第二ＴＤＤ  ＵＬ−ＤＬ構成を適用することが可能である。これは、前述した方法２００、３００の一つ以上を組み合わせて実施することが可能である。
【０１５０】
図１１において、例えば、ｅＮＢ１６０は、ＭＴＣのトラフィック特性により、最大限４０％のアップリンク割り当て、および最大限８０％のダウンリンク割り当てを提供する。この例において、ｅＮＢ１６０は、ＰＤＳＣＨ  ＨＡＲＱ−ＡＣＫレポートに対する第一基準構成として、アップリンク搬送波中のサブフレーム２および３の中で全てのＰＤＳＣＨ  ＨＡＲＱ−ＡＣＫがレポートされるように、２つのＵＬサブフレームと１０ｍｓの周期性とを備えるＴＤＤ  ＵＬ−ＤＬ構成４を設定することができる。他方で、ｅＮＢ１６０は、第二基準構成として、５ｍｓの周期性の２つのＵＬサブフレームを備えるＴＤＤ  ＵＬ−ＤＬ構成１を設定し、１０ｍｓ毎に最大４つまでのＵＬサブフレーム中へのＰＵＳＣＨスケジューリングを可能にすることができる。ＦＤＤネットワークにおいて半二重オペレーションを用いることで、無線通信デバイス１０２は、同じ無線通信デバイス１０２（例えばＭＴＣデバイス）からのＵＬサブフレームの直前のＤＬサブフレームの最後の部分を受信しないことによって、保護期間を生成することができる。変換可能サブフレーム１１５７は、ｅＮＢ１６０によって、アソシエーション・タイミングに基づきＤＬもしくはＵＬのいずれかに動的に割り当てることが可能なサブフレームとすることができる。例えば、ｅＮＢ１６０は、無線通信デバイス（群）１０２に割り当てを信号伝達できる。これは、複雑な信号伝達なしに、リソース割り当てのフレキシビリティを提供する。
【０１５１】
さらに、所与のＴＤＤ  ＵＬ−ＤＬ構成で、無線通信デバイス１０２（例えばＭＴＣデバイス）は、ｅＮＢ１６０から、サブフレームのあるサブセットだけをモニタするよう信号伝達を受けることができる。これにより、無線通信デバイス１０２（例えばＭＴＣデバイス）におけるＨＡＲＱ−ＡＣＫプロセスの回数を低減でき、さらなる電力節減を提供することが可能である。一例（例えば設定）において、無線通信デバイス１０２（例えばＭＴＣデバイス）は、一回のＨＡＲＱ−ＡＣＫプロセスだけに対しサポートを受けることができる。
【０１５２】
基準ＴＤＤ  ＵＬ−ＤＬ構成が無線通信デバイス１０２（例えばＭＴＣデバイス）、または無線通信デバイス１０２（例えばＭＴＣデバイス）のグループに適用される場合、同期および一斉通信チャネルなどを通し、より高い階層の一つ以上の信号伝達（例えば、ＲＲＣ信号伝達）介して、該基準ＵＬ−ＤＬ構成を、無線通信デバイス１０２に提供する（例えば信号伝達する）ことが可能である。
【０１５３】
ｅＮＢ１６０は、無線通信デバイス１０２（例えばＭＴＣデバイス）に使われるサブフレームに追加のまたは代替の制限を設けることができる。しかして、あるＴＤＤ  ＵＬ−ＤＬ構成において、サブフレームのあるサブセットだけを用いることが可能である。ある無線通信デバイス１０２（例えばＭＴＣデバイス）は低減された数のＨＡＲＱプロセスを有し得る。例えば、無線通信デバイス１０２（例えばＭＴＣデバイス）が、単一のＨＡＲＱプロセスを有し、現在のパケットのＨＡＲＱプロセスが完了するまではさらなるパケットを送信できないようにすることが可能である。
【０１５４】
ＨＡＲＱ−ＡＣＫプロセスに対しては、無線フレーム中の同じサブフレーム位置を維持すると都合がよい。こうすれば、１０ｍｓのＲＴＴを備えるＴＤＤ  ＵＬ−ＤＬ構成を、５ｍｓの周期性を備える構成のために用いることができる。他方で、無線通信デバイス１０２（例えばＭＴＣデバイス）トラフィックは、遅延に過敏でないので、１０ｍｓの周期性を備える構成を用いることが可能である。１０ｍｓの周期性を備えるＴＤＤ構成を用いて、ＤＬ−ＵＬ切替えの量を低減（例えば最小化）することができる。
【０１５５】
図１２は、本明細書に開示のシステムおよび方法によって適用が可能な、あるＴＤＤ  ＵＬ−ＤＬ構成１２５９ａ〜ｇを示す図である。具体的には、図１２は、サブフレーム１２２３ａおよびサブフレーム番号１２２５ａを有するＵＬ−ＤＬ構成ｚｅｒｏ（１２５９ａ）（例えば、「ＵＬ−ＤＬ構成０」）、サブフレーム１２２３ｂおよびサブフレーム番号１２２５ｂを有するＵＬ−ＤＬ構成ｏｎｅ（１２５９ｂ）（例えば、「ＵＬ−ＤＬ構成１」）、サブフレーム１２２３ｃおよびサブフレーム番号１２２５ｃを有するＵＬ−ＤＬ構成ｔｗｏ（１２５９ｃ）（例えば、「ＵＬ−ＤＬ構成２」）、並びに、サブフレーム１２２３ｄおよびサブフレーム番号１２２５ｄを有するＵＬ−ＤＬ構成ｔｈｒｅｅ（１２５９ｄ）（例えば、「ＵＬ−ＤＬ構成３」）を示す。また、図１２は、サブフレーム１２２３ｅおよびサブフレーム番号１２２５ｅを有するＵＬ−ＤＬ構成ｆｏｕｒ（１２５９ｅ）（例えば、「ＵＬ−ＤＬ構成４」）、サブフレーム１２２３ｆおよびサブフレーム番号１２２５ｆを有するＵＬ−ＤＬ構成ｆｉｖｅ（１２５９ｆ）（例えば、「ＵＬ−ＤＬ構成５」）、並びに、サブフレーム１２２３ｇおよびサブフレーム番号１２２５ｇを有するＵＬ−ＤＬ構成ｓｉｘ（１２５９ｇ）（例えば、「ＵＬ−ＤＬ構成６」）も示す。
【０１５６】
図１２は、各ＵＬ−ＤＬ構成１２５９ａ〜ｇに対応する、ＰＤＳＣＨ  ＨＡＲＱ−ＡＣＫアソシエーション１２５１（例えば、ＰＵＣＣＨまたはＰＵＳＣＨアソシエーションへのＰＤＳＣＨ  ＨＡＲＱ−ＡＣＫフィードバック）、ＰＵＳＣＨスケジューリング・アソシエーション１２５３（例えば、ＰＵＳＣＨ送信アソシエーションに対するダウンリンク・スケジューリング）、およびＰＵＳＣＨ  ＨＡＲＱ−ＡＣＫアソシエーション１２５５（例えば、ＰＨＩＣＨまたはＰＤＣＣＨアソシエーションへのＰＵＳＣＨ  ＨＡＲＱ−ＡＣＫフィードバック）をさらに示す。なお、図１２に示された無線フレームの一部は、簡便化のため省略されている。
【０１５７】
図１２に示されたＵＬ−ＤＬ構成１２５９ａ〜ｇの一つ以上を、本明細書に開示のシステムおよび方法に従って適用することができる。例えば、ＵＬ−ＤＬ構成１２５９ａ〜ｇの一つ以上を、図１０および／または図１１に関連させて説明したのと同様な仕方で適用することが可能である。例えば、ＵＬ−ＤＬ構成１２５９ａ〜ｇの一つ以上を、図１１に関連させて説明した基準構成とすることができる。
【０１５８】
図１３は、無線通信デバイス１３０２中で使用可能な様々なコンポーネントを示す。図１３に関連させて説明する無線通信デバイス１３０２は、図１に関連させて説明した無線通信デバイス１０２に従って実装することができる。無線通信デバイス１３０２は、無線通信デバイス１３０２のオペレーションを制御するプロセッサ１３６３を含む。プロセッサ１３６３は、中央処理装置（ＣＰＵ：ｃｅｎｔｒａｌ  ｐｒｏｃｅｓｓｉｎｇ  ｕｎｉｔ）と呼ばれることもある。メモリ１３６９は、読み取り専用メモリ（ＲＯＭ：ｒｅａｄ−ｏｎｌｙ  ｍｅｍｏｒｙ）、ランダム・アクセス・メモリ（ＲＡＭ：ｒａｎｄｏｍ  ａｃｃｅｓｓ  ｍｅｍｏｒｙ）、これら２つの組み合わせ、または情報を格納することが可能な任意の種類のデバイスとすることができ、該メモリはプロセッサ１３６３に、命令１３６５ａおよびデータ１３６７ａを提供する。また、メモリ１３６９の一部は、不揮発性ランダム・アクセス・メモリ（ＮＶＲＡＭ：ｎｏｎ−ｖｏｌａｔｉｌｅ  ｒａｎｄｏｍ  ａｃｃｅｓｓ  ｍｅｍｏｒｙ）を含み得る。また、命令１３６５ｂおよびデータ１３６７ｂがプロセッサ１３６３中に駐在する。プロセッサ１３６３中にロードされた命令１３６５ｂおよび／またはデータ１３６７ｂは、メモリ１３６９からの、プロセッサ１３６３による実行または処理のためロードされていた命令１３６５ａおよび／またはデータ１３６７ａも含むことができる。命令１３６５ｂは、プロセッサ１３６３に実行されて、前述した方法２００を実施することができる。
【０１５９】
また、無線通信デバイス１３０２は、データの送信および受信を可能にする、一つ以上のトランスミッタ１３５８および一つ以上のレシーバ１３２０を包含するハウジングを含むことが可能である。トランスミッタ（群）１３５８およびレシーバ（群）１３２０は一つ以上のトランシーバ１３１８として組み合わせることができる。一つ以上のアンテナ１３２２ａ〜ｎがハウジングに取り付けられ、トランシーバ１３１８に電気的に連結されている。
【０１６０】
無線通信デバイス１３０２の様々なコンポーネントは、バス・システム１３７１によって一緒に連結され、このバス・システムは、データ・バスに加え、電力バス、制御信号バス、および状態信号バスを含むことができる。但し、簡明化のため、これら様々なバスは、図１３ではバス・システム１３７１として示されている。また、無線通信デバイス１３０２は、信号処理に使うためのデジタル信号プロセッサ（ＤＳＰ：ｄｉｇｉｔａｌ  ｓｉｇｎａｌ  ｐｒｏｃｅｓｓｏｒ）１３７３含むことができる。また、無線通信デバイス１３０２は、無線通信デバイス１３０２の機能へのユーザ・アクセスを提供する通信インターフェース１３７５を含むことが可能である。図１３に示された無線通信デバイス１３０２は、特定のコンポーネントのリストというより、むしろ機能ブロック図である。
【０１６１】
図１４は、ｅＮＢ１４６０で使用可能な様々なコンポーネントを示す。図１４に関連させて説明するｅＮＢ１４６０は、図１に関連させて説明したｅＮＢ１６０に従って実装することができる。ｅＮＢ１４６０は、ｅＮＢ１４６０のオペレーションを制御するプロセッサ１４７７を含む。プロセッサ１４７７は、中央処理装置（ＣＰＵ）と呼ばれることもある。メモリ１４８３は、読み取り専用メモリ（ＲＯＭ）、ランダム・アクセス・メモリ（ＲＡＭ）、これら２つの組み合わせ、または情報を格納することが可能な任意の種類のデバイスとすることができ、プロセッサ１４７７に、命令１４７９ａおよびデータ１４８１ａを提供する。また、メモリ１４８３の一部は、不揮発性ランダム・アクセス・メモリ（ＮＶＲＡＭ）を含み得る。また、命令１４７９ｂおよびデータ１４８１ｂが、プロセッサ１４７７中に駐在する。プロセッサ１４７７中にロードされた命令１４７９ｂおよび／またはデータ１４８１ｂは、メモリからの、プロセッサ１４７７による実行または処理のためロードされていた命令１４７９ａおよび／またはデータ１４８１ａも含むことができる。命令１４７９ｂは、プロセッサ１４７７に実行されて、前述した方法３００を実装することができる。
【０１６２】
また、ｅＮＢ１４６０は、データの送信および受信を可能にする、一つ以上のトランスミッタ１４１７および一つ以上のレシーバ１４７８を包含するハウジングを含むことが可能である。トランスミッタ（群）１４１７およびレシーバ（群）１４７８は一つ以上のトトランシーバ１４７６として組み合わせることができる。一つ以上のアンテナ１４８０ａ〜ｎがハウジングに取り付けられ、トランシーバ１４７６に電気的に連結されている。
【０１６３】
ｅＮＢ１４６０の様々なコンポーネントは、バス・システム１４８５によって一緒に連結され、このバス・システムは、データ・バスに加え、電力バス、制御信号バス、および状態信号バスを含むことができる。但し、簡明化のため、これら様々なバスは、図１４ではバス・システム１４８５として示されている。また、ｅＮＢ１４６０は、信号処理に使うためのデジタル信号プロセッサ（ＤＳＰ）１４８７を含むことができる。ｅＮＢ１４６０は、ｅＮＢ１４６０の機能へのユーザ・アクセスを提供する通信インターフェース１４８９も含むことが可能である。図１４に示されたｅＮＢ１４６０は、特定のコンポーネントのリストというより、むしろ機能ブロック図である。
【０１６４】
図１５は、半二重通信を可能にするシステムおよび方法を実装することが可能な無線通信デバイス１５０２の一つの構成を示すブロック図である。無線通信デバイス１５０２は、送信手段１５５８、受信手段１５２０、および制御手段１５２４を含む。送信手段１５５８、受信手段１５２０、および制御手段１５２４は、前に図２および図１３に関連させて説明した一つ以上の機能を実施するよう構成することができる。前述の図１３は、図１５の具体的な装置構造体の一例を示している。図２および図１３の機能の一つ以上を実現するために、他の様々な構造体を実装することができる。例えば、ソフトウェアによってＤＳＰを実現することができる。
【０１６５】
図１６は、半二重通信を可能にするシステムおよび方法を実装することが可能なｅＮＢ１６６０の一つの構成を示すブロック図である。ｅＮＢ１６６０は、送信手段１６１７、受信手段１６７８、および制御手段１６８２を含む。送信手段１６１７、受信手段１６７８、および制御手段１６８２は、前に図３および図１４に関連させて説明した一つ以上の機能を実施するよう構成することができる。前述の図１４は、図１６の具体的な装置構造体の一例を示している。図３および図１４の機能の一つ以上を実現するために、他の様々な構造体を実装することができる。例えば、ＤＳＰをソフトウェアによって実現することが可能である。
【０１６６】
用語「コンピュータ可読媒体」とは、コンピュータまたはプロセッサがアクセス可能な任意の利用可能な媒体を言う。本明細書で用いる用語「コンピュータ可読媒体」は非一時性で有形の、コンピュータおよび／またはプロセッサが可読な媒体を表し得る。限定でなく例として、コンピュータ可読またはプロセッサ可読媒体は、ＲＡＭ、ＲＯＭ、ＥＥＰＲＯＭ、ＣＤ−ＲＯＭまたは他の光ディスク・ストレージ、磁気ディスク・ストレージまたは他の磁気ストレージ・デバイス、あるいは、命令またはデータ構造体の形で所望のプログラム・コードを搬送または格納するために使用可能で且つコンピュータまたはプロセッサがアクセスできる任意の他の媒体を含むことができる。本明細書で用いるディスク（ｄｉｓｋおよびｄｉｓｃ）は、コンパクト・ディスク（ＣＤ：ｃｏｍｐａｃｔ  ｄｉｓｃ）、レーザ・ディスク、光ディスク、デジタル多用途ディスク（ＤＶＤ：ｄｉｇｉｔａｌ  ｖｅｒｓａｔｉｌｅ  ｄｉｓｃ）、フロッピー・ディスク、およびブルーレイ（登録商標）ディスクを含み、通常、ｄｉｓｋは磁気的にデータを再生し、ｄｉｓｃはレーザを使って光学的にデータを再生する。
【０１６７】
なお、本明細書で説明した方法の一つ以上は、ハードウェアを使って実装および／または実施することが可能である。例えば、本明細書で説明した方法の一つ以上は、チップセット、特定用途向け集積回路（ＡＳＩＣ）、大規模集積回路（ＬＳＩ）、または集積回路などを使って実装および／または実現することができる。
【０１６８】
本明細書で開示した方法の各々は、説明した方法を達成するための一つ以上のステップまたはアクションを含む。これら方法ステップおよび／またはアクションは、本特許請求の範囲から逸脱することなく、相互に入れ替えたり、および／または単一のステップに組み合せたりすることが可能である。言い換えれば、説明された方法の適切なオペレーションのために特定の順序のステップまたはアクションが必要な場合を除いて、本特許請求の範囲から逸脱することなく、特定のステップおよび／またはアクションの順序および／または使用を修改することができる。
【０１６９】
なお、本特許請求の範囲は、上で例示したその通りの構成およびコンポーネントに限定されるものでない。本特許請求の範囲から逸脱することなく、本明細書で説明したシステム、方法、および装置の配置、オペレーション、および細部に対し様々な改修、変更、および変形を加えることが可能である。
【０１７０】
補足事項
半二重通信を可能にするための無線通信デバイスについて説明する。本無線通信デバイスは、プロセッサと、該プロセッサと電子通信するメモリ中に格納された命令とを含む。無線通信デバイスは、インジケータを受信する。また、無線通信デバイスは、該インジケータに基づいて、規則的なアップリンク（ＵＬ）とダウンリンク（ＤＬ）との切替えパターンを有する半二重フレーム構造体を決める。該半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループを含む。無線通信デバイスは、ＤＬサブフレームの少なくとも一つにあるＤＬ情報をさらに受信する。無線通信デバイスは、加えて、ＵＬサブフレームの少なくとも一つにあるＵＬ情報を送信する。無線通信デバイスは、マシン型通信（ＭＴＣ）デバイスとすることができる。インジケータは、無線リソース制御（ＲＲＣ）信号伝達、一斉通信信号、および同期信号の少なくとも一つを介して受信することができる。半二重フレーム構造体の周期性は、無線フレームの周期性と同じにすることが可能である。
【０１７１】
無線通信デバイスは、少なくとも一つのＤＬサブフレーム・グループ中の全ＤＬサブフレームよりは少ないＤＬサブフレームを含む限定されたＤＬサブフレーム・セットをモニタすることが可能である。無線通信デバイスは、保護期間を形成するために相異なるアソシエーション・タイミングを適用することができる。
【０１７２】
少なくとも一つのＵＬサブフレーム・グループは、４つのＵＬサブフレームを含むことができ、少なくとも一つのＤＬサブフレーム・グループは、４つのＤＬサブフレームを含むことができる。該少なくとも一つのＵＬサブフレーム・グループは、該少なくとも一つのＤＬサブフレーム・グループと相互切替えを行うことが可能である。
【０１７３】
無線通信デバイスは、オフセットを決めることができる。また、無線通信デバイスは、物理ダウンリンク共有チャネル（ＰＤＳＣＨ）ハイブリッド自動再送要求応答（ＨＡＲＱ−ＡＣＫ）アソシエーション、物理アップリンク共有チャネル（ＰＵＳＣＨ）スケジューリング・アソシエーション、およびＰＵＳＣＨ  ＨＡＲＱ−ＡＣＫアソシエーションに、オフセットを適用することが可能である。
【０１７４】
ＵＬサブフレーム・グループは、ＤＬサブフレーム・グループとは異なる数のサブフレームを含むことが可能である。無線通信デバイスは、グループ・アソシエーション・マッピングを適用することができる。
【０１７５】
少なくとも一つのＵＬサブフレーム・グループは、第一搬送波に対応することが可能で、該少なくとも一つのＤＬサブフレーム・グループは、第一搬送波とは別個の第二搬送波に対応することができる。半二重オペレーションに対し、一つ以上の対応アソシエーションを有する、時分割二重（ＴＤＤ）アップリンク−ダウンリンク（ＵＬ−ＤＬ）構成０〜６の少なくとも一つを適用することが可能である。
【０１７６】
半二重フレーム構造体は、時分割二重（ＴＤＤ）アップリンク−ダウンリンク（ＵＬ−ＤＬ）構成の領域に基づく、少なくとも一つの変換可能サブフレームを含むことが可能である。無線通信デバイスは、第一ＴＤＤ  ＵＬ−ＤＬ構成に対応する、物理ダウンリンク共有チャネル（ＰＤＳＣＨ）ハイブリッド自動再送要求応答（ＨＡＲＱ−ＡＣＫ）アソシエーションを適用することが可能である。また、無線通信デバイスは、第二ＴＤＤ  ＵＬ−ＤＬ構成に対応する、物理アップリンク共有チャネル（ＰＵＳＣＨ）スケジューリング・アソシエーション、およびＰＵＳＣＨ  ＨＡＲＱ−ＡＣＫアソシエーションを適用することができる。
【０１７７】
また、半二重通信を可能にするための進化型ノードＢ（ｅＮＢ）についても説明する。本ｅＮＢは、プロセッサと、該プロセッサと電子通信するメモリ中に格納された命令とを含む。ｅＮＢは、規則的なアップリンク（ＵＬ）とダウンリンク（ＤＬ）との切替えパターンを有する半二重フレーム構造体を示すインジケータを決める。該半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループを含む。また、ｅＮＢは該インジケータを送信する。ｅＮＢは、ＵＬサブフレームの少なくとも一つにあるＵＬ情報をさらに受信する。ｅＮＢは、加えて、ＤＬサブフレームの少なくとも一つにあるＤＬ情報を送信する。ｅＮＢは一つ以上のオフセットを送信することができる。半二重フレーム構造体の周期性は、無線フレームの周期性と同じにすることが可能である。
【０１７８】
少なくとも一つのＵＬサブフレーム・グループは、４つのＵＬサブフレームを含むことができ、少なくとも一つのＤＬサブフレーム・グループは、４つのＤＬサブフレームを含むことができる。該少なくとも一つのＵＬサブフレーム・グループは、該少なくとも一つのＤＬサブフレーム・グループと相互切替えを行うことが可能である。
【０１７９】
ＵＬサブフレーム・グループは、ＤＬサブフレーム・グループとは異なる数のサブフレームを含むことが可能である。ｅＮＢも、グループ・アソシエーション・マッピングを適用することができる。
【０１８０】
少なくとも一つのＵＬサブフレーム・グループは、第一搬送波に対応することができ、少なくとも一つのＤＬサブフレーム・グループは、第一搬送波とは別個の第二搬送波に対応することができる。半二重オペレーションに対し、一つ以上の対応アソシエーションを有する、時分割二重（ＴＤＤ）アップリンク−ダウンリンク（ＵＬ−ＤＬ）構成０〜６の少なくとも一つを適用することが可能である。
【０１８１】
半二重フレーム構造体は、時分割二重（ＴＤＤ）のアップリンク−ダウンリンク（ＵＬ−ＤＬ）構成の領域に基づく、少なくとも一つの変換可能サブフレームを含むことができる。ｅＮＢは、第一ＴＤＤ  ＵＬ−ＤＬ構成に対応する、物理ダウンリンク共有チャネル（ＰＤＳＣＨ）ハイブリッド自動再送要求応答（ＨＡＲＱ−ＡＣＫ）アソシエーションを適用することが可能である。また、ｅＮＢは、第二ＴＤＤ  ＵＬ−ＤＬ構成に対応する、物理アップリンク共有チャネル（ＰＵＳＣＨ）スケジューリング・アソシエーション、およびＰＵＳＣＨ  ＨＡＲＱ−ＡＣＫアソシエーションを適用することができる。
【０１８２】
また、無線通信デバイスにおいて半二重通信を可能にする方法についても説明する。本方法は、インジケータを受信するステップを含む。また、本方法は、該インジケータに基づいて、規則的なアップリンク（ＵＬ）とダウンリンク（ＤＬ）との切替えパターンを有する半二重フレーム構造体を決めるステップを含む。該半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループを含む。本方法は、ＤＬサブフレームの少なくとも一つにあるＤＬ情報を受信するステップをさらに含む。本方法は、ＵＬサブフレームの少なくとも一つにあるＵＬ情報を送信するステップを加えて含む。
【０１８３】
また、進化型ノードＢ（ｅＮＢ）において半二重通信を可能にする方法についても説明する。本方法は、規則的なアップリンク（ＵＬ）とダウンリンク（ＤＬ）との切替えパターンを有する半二重フレーム構造体を示すインジケータを決めるステップを含む。該半二重フレーム構造体は、一つまたは複数の連続するＵＬサブフレームを含む少なくとも一つのＵＬサブフレーム・グループ、および一つまたは複数の連続するＤＬサブフレームを含む少なくとも一つのＤＬサブフレーム・グループを含む。また、本方法は、インジケータを送信するステップを含む。本方法は、ＵＬサブフレームの少なくとも一つにあるＵＬ情報を受信するステップをさらに含む。本方法は、ＤＬサブフレームの少なくとも一つにあるＤＬ情報を送信するステップを加えて含む。
【図１】
2015514333.tif 000004
【図２】
2015514333.tif 000005
【図３】
2015514333.tif 000006
【図４】
2015514333.tif 000007
【図５】
2015514333.tif 000008
【図６】
2015514333.tif 000009
【図７】
2015514333.tif 000010
【図８】
2015514333.tif 000011
【図９】
2015514333.tif 000012
【図１０】
2015514333.tif 000013
【図１１】
2015514333.tif 000014
【図１２】
2015514333.tif 000015
【図１３】
2015514333.tif 000016
【図１４】
2015514333.tif 000017
【図１５】
2015514333.tif 000018
【図１６】
2015514333.tif 000019
【国際調査報告】
2015514333.tif 000020
2015514333.tif 000021